(57)【要約】  一態様では、無線デバイスは、無線リソース管理（ＲＲＭ）および／または無線リンク監視（ＲＬＭ）のための測定を遂行するように設定されている。無線デバイスは複数の無線測定を遂行する。無線デバイスは、第１のフィルタリング設定を使用して無線測定の少なくとも第１のサブセットをフィルタリングし、第１のフィルタリング設定とは異なる第２のフィルタリング設定を使用して無線測定の少なくとも第２のサブセットをフィルタリングする。第１のフィルタリング設定および第２のフィルタリング設定は、それぞれ、第１および第２の異なるタイプの参照信号に、またはそれぞれ、ビームレベル測定およびセルレベル測定に適用される。【選択図】図４
2020533847.tif 000002
【特許請求の範囲】
【請求項１】
無線デバイス（５０）において無線リソース管理（ＲＲＭ）および／または無線リンク監視（ＲＬＭ）のための測定を遂行する方法（４００）であって、前記方法（４００）が、
複数の無線測定を遂行すること（４０２）と、
第１のフィルタリング設定を使用して前記無線測定の少なくとも第１のサブセットをフィルタリングすること（４０４）と、
前記第１のフィルタリング設定とは異なる第２のフィルタリング設定を使用して前記無線測定の少なくとも第２のサブセットをフィルタリングすること（４０６）とを含み、
前記第１のフィルタリング設定および前記第２のフィルタリング設定が、それぞれ、第１および第２の異なるタイプの参照信号に、またはそれぞれ、ビームレベル測定およびセルレベル測定に適用される、方法（４００）。
【請求項２】
測定された無線サンプルのレイヤ１フィルタリングを遂行して前記複数の無線測定を取得することをさらに含む、請求項１に記載の方法（４００）。
【請求項３】
前記第１のフィルタリング設定を使用する前記フィルタリング（４０４）、および前記第２のフィルタリング設定を使用する前記フィルタリング（４０６）が、それぞれレイヤ３フィルタリングを含む、請求項１または２に記載の方法（４００）。
【請求項４】
前記第１のフィルタリング設定と前記第２のフィルタリング設定が少なくとも平均化パラメータに関して異なるものである、請求項３に記載の方法（４００）。
【請求項５】
前記第１のフィルタリング設定を使用する前記フィルタリングおよび前記第２のフィルタリング設定を使用する前記フィルタリングのうち少なくとも１つのための前記レイヤ３フィルタリングが、フィルタリングされた、セル固有の品質測定を生成する、請求項３または４に記載の方法（４００）。
【請求項６】
セル固有の品質測定のレイヤ３フィルタリングの前に、ビーム固有の無線測定を基にビームの統合および選択を遂行することをさらに含む、請求項５に記載の方法（４００）。
【請求項７】
前記第１のフィルタリング設定を使用する前記フィルタリングおよび前記第２のフィルタリング設定を使用する前記フィルタリングのうち少なくとも１つのための前記レイヤ３フィルタリングが、フィルタリングされた、ビーム固有の品質測定を生成する、請求項３から６のいずれか一項に記載の方法（４００）。
【請求項８】
前記第１のフィルタリング設定を使用する前記フィルタリングおよび前記第２のフィルタリング設定を使用する前記フィルタリングが、それぞれ無線リンク障害（ＲＬＦ）を評価するためのフィルタリングを含む、請求項１または２に記載の方法（４００）。
【請求項９】
前記第１のフィルタリング設定と前記第２のフィルタリング設定が、ＲＬＦタイマの始動をトリガする連続した同期外れ指示の数と、作動中のＲＬＦタイマを停止する連続した同期指示の数と、ＲＬＦタイマの持続時間と、ＲＬＦの宣言またはＲＬＦタイマの始動をトリガするビーム障害回復の試行の最大数とのうち少なくとも１つに関して異なるものである、請求項８に記載の方法（４００）。
【請求項１０】
前記第１および第２の異なるタイプの参照信号が、それぞれチャネル状態情報参照信号（ＣＳＩ−ＲＳ）および同期信号ブロックにおける同期信号である、請求項１から９のいずれか一項に記載の方法（４００）。
【請求項１１】
前記第１のフィルタリング設定と前記第２のフィルタリング設定とのうち少なくとも１つの、少なくとも１つのパラメータを指示するシグナリングを受信することをさらに含む、請求項１から１０のいずれか一項に記載の方法（４００）。
【請求項１２】
前記第１のフィルタリング設定と前記第２のフィルタリング設定とのうち少なくとも１つの、少なくとも１つのパラメータが、
セルレベル測定を取得する周期性もしくはビームレベル測定を取得する周期性、または両方の周期性と、
測定されるビームの数と、
セルレベル測定を決定するために使用される２つ以上のビーム測定の間の測定値の差と、
同期信号バーストを伴う同期信号ブロックの数とのうち少なくとも１つに依拠するものである、請求項１から１１のいずれか一項に記載の方法（４００）。
【請求項１３】
無線通信ネットワークの少なくとも１つのネットワークノード（３０）における無線リソース管理（ＲＲＭ）および／または無線リンク監視（ＲＬＭ）のための測定を容易にする方法（６００）であって、前記方法（６００）が、
無線デバイス（５０）に、ＲＲＭおよび／またはＲＬＭのための第１のフィルタリング設定と、ＲＲＭおよび／またはＲＬＭのための、前記第１のフィルタリング設定とは異なる第２のフィルタリング設定とを指示する情報を送ること（６０２）を含み、
前記第１のフィルタリング設定および前記第２のフィルタリング設定が、それぞれ、第１および第２の異なるタイプの参照信号に、またはそれぞれ、ビームレベル測定およびセルレベル測定に適用される、方法（６００）。
【請求項１４】
前記第１のフィルタリング設定と前記第２のフィルタリング設定が、少なくともレイヤ３フィルタリングのための平均化パラメータに関して異なるものである、請求項１３に記載の方法（６００）。
【請求項１５】
前記第１のフィルタリング設定および第２のフィルタリング設定が無線リンク障害（ＲＬＦ）を評価するためのフィルタリングに関するものである、請求項１３に記載の方法（６００）。
【請求項１６】
前記第１のフィルタリング設定と前記第２のフィルタリング設定が、ＲＬＦタイマの始動をトリガする連続した同期外れ指示の数と、作動中のＲＬＦタイマを停止する連続した同期指示の数と、ＲＬＦタイマの持続時間と、ＲＬＦの宣言またはＲＬＦタイマの始動をトリガするビーム障害回復の試行の最大数とのうち少なくとも１つに関して異なるものである、請求項１５に記載の方法（６００）。
【請求項１７】
前記第１および第２の異なるタイプの参照信号が、それぞれチャネル状態情報参照信号（ＣＳＩ−ＲＳ）および同期信号ブロックにおける同期信号である、請求項１３から１６のいずれか一項に記載の方法（６００）。
【請求項１８】
無線リソース管理（ＲＲＭ）および／または無線リンク監視（ＲＬＭ）のための測定を遂行するように設定された無線デバイス（５０）であって、前記無線デバイス（５０）が、
無線信号を送受信するように設定されたトランシーバサーキットリ（５６）と、
前記トランシーバサーキットリ（５６）に対して動作可能に関連づけられた処理サーキットリ（５２）であって、
複数の無線測定を遂行し、
第１のフィルタリング設定を使用して前記無線測定の少なくとも第１のサブセットをフィルタリングし、
前記第１のフィルタリング設定とは異なる第２のフィルタリング設定を使用して前記無線測定の少なくとも第２のサブセットをフィルタリングするように設定された処理サーキットリ（５２）とを備え、
前記第１のフィルタリング設定および前記第２のフィルタリング設定が、それぞれ、第１および第２の異なるタイプの参照信号に、またはそれぞれ、ビームレベル測定およびセルレベル測定に適用される、無線デバイス（５０）。
【請求項１９】
前記処理サーキットリ（５２）が、測定された無線サンプルのレイヤ１フィルタリングを遂行して複数の無線測定を取得するように設定されている、請求項１８に記載の無線デバイス（５０）。
【請求項２０】
前記処理サーキットリ（５２）が、レイヤ３フィルタリングを含む第１のフィルタリング設定を使用してフィルタリングし、レイヤ３フィルタリングを含む第２のフィルタリング設定を使用してフィルタリングするように設定されている、請求項１８または１９に記載の無線デバイス（５０）。
【請求項２１】
前記第１のフィルタリング設定と前記第２のフィルタリング設定が少なくとも平均化パラメータに関して異なるものである、請求項２０に記載の無線デバイス（５０）。
【請求項２２】
前記第１のフィルタリング設定を使用する前記フィルタリングおよび前記第２のフィルタリング設定を使用する前記フィルタリングのうち少なくとも１つのための前記レイヤ３フィルタリングが、フィルタリングされた、セル固有の品質測定を生成する、請求項２０または２１に記載の無線デバイス（５０）。
【請求項２３】
前記処理サーキットリ（５２）が、セル固有の品質測定のレイヤ３フィルタリングの前に、ビーム固有の無線測定を基にビームの統合および選択を遂行するように設定されている、請求項２２に記載の無線デバイス（５０）。
【請求項２４】
前記第１のフィルタリング設定を使用する前記フィルタリングおよび前記第２のフィルタリング設定を使用する前記フィルタリングのうち少なくとも１つのための前記レイヤ３フィルタリングが、フィルタリングされた、ビーム固有の品質測定を生成する、請求項２０から２３のいずれか一項に記載の無線デバイス（５０）。
【請求項２５】
前記処理サーキットリ（５２）が、無線リンク障害（ＲＬＦ）を評価するためのフィルタリングを含む第１のフィルタリング設定を使用してフィルタリングし、無線リンク障害（ＲＬＦ）を評価するためのフィルタリングを含む第２のフィルタリング設定を使用してフィルタリングするように設定されている、請求項１８または１９に記載の無線デバイス（５０）。
【請求項２６】
前記第１のフィルタリング設定と前記第２のフィルタリング設定が、ＲＬＦタイマの始動をトリガする連続した同期外れ指示の数と、作動中のＲＬＦタイマを停止する連続した同期指示の数と、ＲＬＦタイマの持続時間と、ＲＬＦの宣言またはＲＬＦタイマの始動をトリガするビーム障害回復の試行の最大数とのうち少なくとも１つに関して異なるものである、請求項２５に記載の無線デバイス（５０）。
【請求項２７】
前記第１の参照信号および前記第２の参照信号が、それぞれチャネル状態情報参照信号（ＣＳＩ−ＲＳ）および同期信号ブロックにおける同期信号である、請求項１８から２６のいずれか一項に記載の無線デバイス（５０）。
【請求項２８】
前記処理サーキットリ（５２）が、前記第１のフィルタリング設定と前記第２のフィルタリング設定とのうち少なくとも１つの、少なくとも１つのパラメータを指示するシグナリングを受信するように設定されている、請求項１８から２７のいずれか一項に記載の無線デバイス（５０）。
【請求項２９】
前記第１のフィルタリング設定と前記第２のフィルタリング設定とのうち少なくとも１つの、少なくとも１つのパラメータが、
セルレベル測定を取得する周期性もしくはビームレベル測定を取得する周期性、または両方の周期性と、
測定されるビームの数と、
セルレベル測定を決定するために使用される２つ以上のビーム測定の間の測定値の差と、
同期信号バーストを伴う同期信号ブロックの数とのうち少なくとも１つに依拠するものである、請求項１８から２８のいずれか一項に記載の無線デバイス（５０）。
【請求項３０】
無線リソース管理（ＲＲＭ）および／または無線リンク監視（ＲＬＭ）のための測定を容易にするように設定された、無線通信ネットワークの少なくとも１つのネットワークノード（３０）であって、前記少なくとも１つのネットワークノード（３０）が
無線デバイス（５０）と通信するように設定されたトランシーバサーキットリ（３６）と、
前記トランシーバサーキットリ（３６）に対して動作可能に関連づけられた処理サーキットリ（３２）であって、前記トランシーバサーキットリ（３６）によって、前記無線デバイス（５０）に、ＲＲＭおよび／またはＲＬＭのための第１のフィルタリング設定と、ＲＲＭおよび／またはＲＬＭのための、前記第１のフィルタリング設定とは異なる第２のフィルタリング設定とを指示する情報を送るように設定された処理サーキットリ（３２）とを備え、
前記第１のフィルタリング設定および前記第２のフィルタリング設定が、それぞれ、第１および第２の異なるタイプの参照信号に、またはそれぞれ、ビームレベル測定およびセルレベル測定に適用される、少なくとも１つのネットワークノード（３０）。
【請求項３１】
前記第１のフィルタリング設定と前記第２のフィルタリング設定が、レイヤ３フィルタリングのための少なくとも平均化パラメータに関して異なるものである、請求項３０に記載の少なくとも１つのネットワークノード（３０）。
【請求項３２】
前記第１のフィルタリング設定および第２のフィルタリング設定が無線リンク障害（ＲＬＦ）を評価するためのフィルタリングに関するものである、請求項３０に記載の少なくとも１つのネットワークノード（３０）。
【請求項３３】
前記第１のフィルタリング設定と前記第２のフィルタリング設定が、ＲＬＦタイマの始動をトリガする連続した同期外れ指示の数と、作動中のＲＬＦタイマを停止する連続した同期指示の数と、ＲＬＦタイマの持続時間と、ＲＬＦの宣言またはＲＬＦタイマの始動をトリガするビーム障害回復の試行の最大数とのうち少なくとも１つに関して異なるものである、請求項３２に記載の少なくとも１つのネットワークノード（３０）。
【請求項３４】
前記第１および第２の異なるタイプの参照信号が、それぞれチャネル状態情報参照信号（ＣＳＩ−ＲＳ）および同期信号ブロックにおける同期信号である、請求項３０から３３のいずれか一項に記載の少なくとも１つのネットワークノード（３０）。
【請求項３５】
請求項１から１２のいずれか一項に記載の方法（４００）を遂行するように適合された無線デバイス（５０）。
【請求項３６】
請求項１３から１７のいずれか一項に記載の方法（６００）を遂行するように適合された少なくとも１つのネットワークノード（３０）。
【請求項３７】
無線リソース管理（ＲＲＭ）および／または無線リンク監視（ＲＬＭ）用の測定を遂行するためのコンピュータプログラム（６６）を記憶する非一時的コンピュータ可読媒体（６４）であって、前記コンピュータプログラム（６６）がコンピュータ命令を含み、前記コンピュータ命令が無線デバイス（５０）の少なくとも１つのプロセッサ（６２）によって実行されたとき、前記コンピュータ命令により前記無線デバイス（５０）が、
複数の無線測定を遂行し、
第１のフィルタリング設定を使用して前記無線測定の少なくとも第１のサブセットをフィルタリングし、
前記第１のフィルタリング設定とは異なる第２のフィルタリング設定を使用して前記無線測定の少なくとも第２のサブセットをフィルタリングし、
前記第１のフィルタリング設定および前記第２のフィルタリング設定が、それぞれ、第１および第２の異なるタイプの参照信号に、またはそれぞれ、ビームレベル測定およびセルレベル測定に適用される、非一時的コンピュータ可読媒体（６４）。
【請求項３８】
無線リソース管理（ＲＲＭ）および／または無線リンク監視（ＲＬＭ）用の測定を容易にするためのコンピュータプログラムを記憶する非一時的コンピュータ可読媒体（４４）であって、前記コンピュータプログラム（４６）がコンピュータ命令を含み、前記コンピュータ命令が少なくとも１つのネットワークノード（３０）の少なくとも１つのプロセッサ（４２）によって実行されたとき、前記コンピュータ命令により前記少なくとも１つのネットワークノード（３０）が、
無線デバイス（５０）に、ＲＲＭおよび／またはＲＬＭのための第１のフィルタリング設定と、ＲＲＭおよび／またはＲＬＭのための、前記第１のフィルタリング設定とは異なる第２のフィルタリング設定とを指示する情報を送り、
前記第１のフィルタリング設定および前記第２のフィルタリング設定が、それぞれ、第１および第２の異なるタイプの参照信号に、またはそれぞれ、ビームレベル測定およびセルレベル測定に適用される、非一時的コンピュータ可読媒体（６４）。
【請求項３９】
命令を含むコンピュータプログラム（４６、６６）であって、前記命令が少なくとも１つの処理回路（３２、５２）上で実行されたとき、前記少なくとも１つの処理回路（３２）が請求項１から１７のいずれか一項に記載の方法（４００、６００）を実行する、コンピュータプログラム（４６、６６）。
【請求項４０】
請求項３９に記載のコンピュータプログラム４６を含有しているキャリアであって、
電子信号、光信号、無線信号、またはコンピュータ可読記憶媒体（４４、６４）のうち１つであるキャリア。
【請求項４１】
無線リソース管理（ＲＲＭ）および／または無線リンク監視（ＲＬＭ）のための測定を遂行するように設定された無線デバイス（５０）であって、前記無線デバイス（５０）が、
複数の無線測定を遂行するための測定モジュール（７０２）と、
第１のフィルタリング設定を使用して前記無線測定の少なくとも第１のサブセットをフィルタリングするための第１のフィルタリングモジュール（７０４）と、
前記第１のフィルタリング設定とは異なる第２のフィルタリング設定を使用して前記無線測定の少なくとも第２のサブセットをフィルタリングするための第２のフィルタリングモジュール（７０６）とを備え、
前記第１のフィルタリング設定および前記第２のフィルタリング設定が、それぞれ、第１および第２の異なるタイプの参照信号に、またはそれぞれ、ビームレベル測定およびセルレベル測定に適用される、無線デバイス（５０）。
【請求項４２】
無線リソース管理（ＲＲＭ）および／または無線リンク監視（ＲＬＭ）のための測定を容易にする、無線通信ネットワークの少なくとも１つのネットワークノード（３０）であって、前記少なくとも１つのネットワークノード（３０）が、
無線デバイス（５０）に、ＲＲＭおよび／またはＲＬＭのための第１のフィルタリング設定と、ＲＲＭおよび／またはＲＬＭのための、前記第１のフィルタリング設定とは異なる第２のフィルタリング設定とを指示する情報を送るための送信モジュール（８０２）を備え、
前記第１のフィルタリング設定および前記第２のフィルタリング設定が、それぞれ、第１および第２の異なるタイプの参照信号に、またはそれぞれ、ビームレベル測定およびセルレベル測定に適用される、少なくとも１つのネットワークノード（３０）。
【発明の詳細な説明】
【技術分野】
【０００１】
本開示は一般に無線通信に関し、より詳細には、無線リンク監視（ＲＬＭ）および／または無線リソース管理（ＲＲＭ）のための無線測定の遂行およびフィルタリングに関するものである。
【背景技術】
【０００２】
第３世代パートナーシッププロジェクト（３ＧＰＰ）は、Ｌｏｎｇ  Ｔｅｒｍ  Ｅｖｏｌｕｔｉｏｎ（ＬＴＥ）ネットワークの規格に準拠する無線通信ネットワークに関して、たとえばハンドオーバ決定を支援するために、ユーザ機器（ＵＥ）が、測定報告の評価に対する入力として使用されるとともにネットワークに報告される無線リソース管理（ＲＲＭ）測定を遂行するやり方を要約する手段として、３ＧＰＰ  ＴＳ  ３６．３００、ｖ．１４．３．０（２０１７年６月）（（以下「３６．３００」と称する））において、いわゆる測定モデルを規定した。図１は３６．３００の図１０．６−１から適合されたものであり、ＬＴＥの測定モデルを要約するものである。図１に示される構成要素およびパラメータは、３６．３００において以下のように説明されている。
−  Ａ：物理レイヤの内部の測定（サンプル）。
−  レイヤ１フィルタリング：ポイントＡにおいて測定された入力の、内レイヤ１フィルタリング。厳密なフィルタリングは実装形態に依拠する。物理レイヤにおいて実装形態（入力Ａおよびレイヤ１フィルタリング）によって実際に測定するやり方には、規格による制約はない。
−  Ｂ：レイヤ１フィルタリングの後に、レイヤ１によってレイヤ３に測定が報告される。
−  レイヤ３フィルタリング：ポイントＢに供給された測定に対してフィルタリングが遂行される。レイヤ３フィルタの挙動は規格化されており、レイヤ３フィルタはＲＲＣシグナリングによって設定される。Ｃにおけるフィルタリング報告期間はＢにおける１つの測定期間と等しい。
−  Ｃ：レイヤ３フィルタにおける処理の後の測定。この報告レートはポイントＢにおける報告レートと同一である。この測定は、報告基準の１つまたは複数の評価のための入力として使用される。
−  報告基準の評価：これはポイントＤにおける実際の測定報告が必要かどうかを検査する。この評価は、異なる測定の間で比較することなど、参照ポイントＣにおける測定の２つ以上の流れに基づくものであり得る。これは入力ＣおよびＣ’によって図示されている。ＵＥは、少なくともポイントＣ、Ｃ’において新規の測定結果が報告されるごとに報告基準を評価するものとする。報告基準は規格化されており、ＲＲＣシグナリング（ＵＥ測定）によって設定される。
−  Ｄ：測定報告情報（メッセージ）は無線インターフェースを介して送られる。
【０００３】
３６．３００によれば、ＬＴＥでは、レイヤ１フィルタリング１００は、一定レベルの測定平均化を導入することになる。ＵＥが必要な測定を遂行する厳密なやり方および時期は、Ｂにおける出力が３ＧＰＰ  ＴＳ  ３６．１３３（「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）、無線リソース管理をサポートするための要件）においてセットされた性能要件を満たす限りは実装時固有のものであり得る。使用されるレイヤ３フィルタリング１１０およびパラメータは、３ＧＰＰ  ＴＳ  ３６．３３１（「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）、無線リソース制御（ＲＲＣ）プロトコル規定」）に規定されており、このフィルタリングは、ＢとＣの間のサンプルの有効性に、いかなる遅延も導入しない。ポイントＣ、Ｃ’における測定は、イベント評価１２０において使用される入力である。上記で説明された設定を規定する理由の１つは、レイヤ１（Ｌ１）フィルタの異なる実装形態を調整することである。
【０００４】
ＬＴＥでは、レイヤ３（Ｌ３）フィルタ係数は、３ＧＰＰのＴＳ  ３６．３３１  ｖ．１４．３．０（２０１７年６月）（以下「３６．３３１」と称される）で規定されたいわゆる量設定（ｑｕａｎｔｉｔｙ  ｃｏｎｆｉｇｕｒａｔｉｏｎ）の一部分として、以下のように与えられる。
４．量設定：ＲＡＴタイプごとに１つの量設定が設定される。量設定は、その測定タイプの測定量と、すべてのイベント評価および関連する報告に使用される関連したフィルタリングとを規定する。測定量ごとに１つのフィルタが設定され得る。
【０００５】
ＬＴＥでは、ｑｕａｎｔｉｔｙＣｏｎｆｉｇという名の情報要素（ＩＥ）が規定される。ＩＥは測定設定の一部分として送信される。ＵＥアクションは規格において以下のように規定されている。
１＞受信されたｍｅａｓＣｏｎｆｉｇがｑｕａｎｔｉｔｙＣｏｎｆｉｇを含んでいれば、
２＞５．５．２．８で規定されているような量設定手順を遂行する。
５．５．２．８量設定
ＵＥは以下を行うものとする。
１＞受信されたｑｕａｎｔｉｔｙＣｏｎｆｉｇが、パラメータを含む各ＲＡＴについて、
２＞ＶａｒＭｅａｓＣｏｎｆｉｇの範囲内のｑｕａｎｔｉｔｙＣｏｎｆｉｇにおける対応するパラメータを、受信されたｑｕａｎｔｉｔｙＣｏｎｆｉｇパラメータの値にセットし、
１＞ＶａｒＭｅａｓＣｏｎｆｉｇの範囲内のｍｅａｓＩｄＬｉｓｔに含まれる各ｍｅａｓＩｄについて、
２＞このｍｅａｓＩｄに関する測定報告エントリがＶａｒＭｅａｓＲｅｐｏｒｔＬｉｓｔに含まれている場合には除去し、
２＞周期的に報告するタイマまたはタイマＴ３２１を（走っているものがあれば）停止し、このｍｅａｓＩｄに関する関連情報（たとえばｔｉｍｅＴｏＴｒｉｇｇｅｒ）をリセットする。
【０００６】
ＲＲＣ規格では、Ｌ３フィルタリングに関する詳細も以下のように規定される。
５．５．３．２  レイヤ３フィルタリング
ＵＥは以下を行うものとする。
１＞ＵＥが５．５．３．１に従って測定を遂行する各測定量について、
注１：これは、単に、ＵＥのＲｘ−Ｔｘ時間差、ＳＳＴＤの測定およびＲＳＳＩ、チャネル占有率測定、帯域のＷＬＡＮ測定、キャリア情報、有効な承認容量、バックホール帯域幅、チャネル利用、およびステーションカウント、ＣＢＲ測定、およびＱＣＩ測定ごとのＵＬのＰＤＣＰパケット遅延に関して設定された量は含まず、すなわち、ＵＥは、これらのタイプの測定に関して、ｔｒｉｇｇｅｒＱｕａｎｔｉｔｙおよびｒｅｐｏｒｔＱｕａｎｔｉｔｙを無視する。
２＞測定結果を、報告基準の評価または測定報告用に使用する前に、次式によってフィルタリングする。
Ｆｎ＝（１−ａ）・Ｆｎ−１＋ａ・Ｍｎ
ここで
Ｍｎは物理レイヤから受信された最新の測定結果であり、
Ｆｎは、報告基準の評価または測定報告に使用される、更新後のフィルタリングされた測定結果であり、
Ｆｎ−１は、古いフィルタリングされた測定結果であり、Ｆ０は、物理レイヤから第１の測定結果が受信されたときＭ１にセットされ、
ａ＝１／２（ｋ／４）であり、ｋはｑｕａｎｔｉｔｙＣｏｎｆｉｇによって受信された対応する測定量向けのｆｉｌｔｅｒＣｏｅｆｆｉｃｉｅｎｔである。
２＞ｆｉｌｔｅｒＣｏｅｆｆｉｃｉｅｎｔ  ｋがサンプルレートを２００ミリ秒と等しいと想定するものと観測として、フィルタの時間特性が異なる入力レートに保たれるようにフィルタを適合させる。
注２：ｋが０にセットされているとレイヤ３フィルタリングは適用できない。
注３：フィルタリングは、報告基準の評価または測定報告に使用されるものと同一の定義域において遂行され、すなわち対数測定については対数フィルタリングが遂行される。
注４：フィルタ入力レートは、［１６］においてセットされている性能要件を満たすために実装形態に依拠する。物理レイヤ測定に関するさらなる詳細については、ＴＳ  ３６．１３３［１６］を参照されたい。
【０００７】
ＩＥ  ＭｅａｓＣｏｎｆｉｇは、ＵＥによって遂行される測定を規定し、周波数内モビリティ、周波数間モビリティおよびＲＡＴ間モビリティならびに測定ギャップの設定をカバーする。このＩＥは、３ＧＰＰ規格において次のように規定されている。
2020533847.tif 000003
【０００８】
ＩＥ  ＱｕａｎｔｉｔｙＣｏｎｆｉｇは、測定量と、Ｅ−ＵＴＲＡ測定およびＲＡＴ間測定用のレイヤ３フィルタリング係数とを規定する。このＩＥは、３ＧＰＰ規格において次のように規定されている。
2020533847.tif 000004
【０００９】
ＱｕａｎｔｉｔｙＣｏｎｆｉｇフィールドの記述に関して、ｆｉｌｔｅｒＣｏｅｆｆｉｃｉｅｎｔＣＳＩ−ＲＳＲＰは、ＣＳＩ−ＲＳＲＰに使用されるフィルタリング係数を規定し、ｆｉｌｔｅｒＣｏｅｆｆｉｃｉｅｎｔＲＳＲＰは、ＲＳＲＰに使用されるフィルタリング係数を規定し、ｆｉｌｔｅｒＣｏｅｆｆｉｃｉｅｎｔＲＳＲＱは、ＲＳＲＱに使用されるフィルタリング係数を規定し、ｆｉｌｔｅｒＣｏｅｆｆｉｃｉｅｎｔＲＳ−ＳＩＮＲは、ＲＳ−ＳＩＮＲに使用されるフィルタリング係数を規定し、ｑｕａｎｔｉｔｙＣｏｎｆｉｇＥＵＴＲＡは、Ｅ−ＵＴＲＡ測定用のフィルタ設定を規定する。
【００１０】
ＩＥ  ＦｉｌｔｅｒＣｏｅｆｆｉｃｉｅｎｔは測定のフィルタリング係数を規定する。値ｆｃ０はｋ＝０に対応し、ｆｃ１はｋ＝１に対応する、などである。このＩＥは、３ＧＰＰ規格において次のように規定されている。
2020533847.tif 000005
【００１１】
レガシー無線リンク監視プロシージャは、ＵＥによってＲＲＣ＿ＣＯＮＮＥＣＴＥＤ状態において実行される。（この文献については、「レガシー」という用語は、３ＧＰＰ規格のリリース１４およびそれ以前のリリースのような規格化された処理およびプロシージャを指すように使用される）。無線リンク監視（ＲＬＭ）の目的は、接続されたサービングセルのダウンリンクの無線リンク品質を監視し、この情報を使用して、ＵＥが当のサービングセルに対して同期しているか同期外れであるかを裁定することである。レガシーＲＬＭプロシージャでは、ＵＥは、サービングセルのダウンリンク参照信号（たとえばＬＴＥにおけるセル固有の参照シンボル（ＣＲＳ））の信号品質を推定して、推定された信号品質を仮想制御チャネルの品質目標（たとえば物理ダウンリンク制御チャネルのブロック誤り率（ＰＤＣＣＨ  ＢＬＥＲ）の目標）と比較する。制御チャネルの品質目標（たとえばＢＬＥＲ目標）は２つ（すなわちＱｉｎおよびＱｏｕｔ）ある。Ｑｏｕｔは、制御チャネル（たとえばＰＤＣＣＨ）の仮想ＢＬＥＲの１０％に相当し、Ｑｉｎは制御チャネル（たとえばＰＤＣＣＨ）の仮想のＢＬＥＲの２％に相当する。これらの品質閾値は、ＵＥがサービングセルに対して同期しているか同期外れであるかを判定するために使用される。
【００１２】
ＬＴＥにおけるＲＬＭプロシージャは、無線状態が高速で低下したときＲＬＦ通知（ＲＲＣシグナリングおよび高くつくＵＥアクションをトリガする）を避けることを目標とするフィルタリング設定も有する。この目的は、測定報告があまりにも頻繁にトリガされるのを避けるために適用されるフィルタリングにいくぶん似ているが、このフィルタリング機構の設定は（ＲＲＭ測定モデルにおける時間領域フィルタリング係数の代わりに）パラメータＮ３１０およびＮ３１１に基づき、異なるものである。ＲＬＭに関して、ＵＥは、Ｎ３１０の連続した同期外れ指示が到達したとき無線リンク障害タイマＴ３１０を始動し、Ｎ３１１の連続した同期指示が到達したときこのタイマを停止する。ＵＥは、タイマＴ３１０が満了するとＲＬＦを宣言して送信器をオフにする。パラメータＮ３１０、Ｎ３１１およびＴ３１０はネットワークノードによって設定される。パラメータＮ３１０およびＮ３１１は、ＵＥによって上位レイヤの時間領域平均を遂行するために使用されるものであり、上位レイヤフィルタリングパラメータ、レイヤ３フィルタリングパラメータなどと区別なく参照される。
【００１３】
３ＧＰＰによって現在開発中の第５世代無線システムに関する議論および文書では、無線アクセス技術（ＲＡＴ）は、「新無線」すなわち「ＮＲ」、または「ＮＲ無線アクセス」と参照され得る。ＮＲに関するステージ２の規格（ＮＲおよびいわゆる次世代無線アクセスネットワーク（ＮＧ−ＲＡＮ）の全体的な記述を含む）が、３ＧＰＰ  ＴＳ  ｖ．１．０．０（２０１７年９月）（以下３８．３００と称される）３８．３００においてリリースされており、本明細書で説明された背景は、当業者にはよく知られているであろう。
【００１４】
ＮＲでは、ＮＲの１次同期信号（ＮＲ−ＰＳＳ）、ＮＲの２次同期信号（ＮＲ−ＳＳＳ）およびＮＲの物理ブロードキャストチャネル（ＮＲ−ＰＢＣＨ）が同期信号ブロック（ＳＳブロック）において一緒に送信されると期待される。所与の周波数帯域に関して、ＳＳブロックはデフォルトのサブキャリア間隔に基づくＮ個のＯＦＤＭシンボルに対応し、Ｎ個のシンボルはＮＲ−ＰＳＳ、ＮＲ−ＳＳＳ、およびＮＲ−ＰＢＣＨ（たとえばＮ＝４）を含有している。実際の送信されるＳＳブロックの位置は、ＵＥに対して、ＣＯＮＮＥＣＴＥＤモード／ＩＤＬＥモードの測定を支援するため、ＣＯＮＮＥＣＴＥＤモードのＵＥが未使用のＳＳブロックにおいてダウンリンクデータ／制御を受信するのを支援するため、および可能性としてＩＤＬＥモードのＵＥが未使用のＳＳブロックにおいてダウンリンクデータ／制御を受信するのを支援するために通知され得る。１つまたは複数のＳＳブロックがＳＳバーストセットを構成する。ＳＳバーストセットの内部のＳＳブロックの最大数Ｌは、セルのキャリア周波数に依拠する。いくつかの異なる周波数範囲の各々についてＳＳバーストセットの内部のＳＳブロックの最大数Ｌは、以下の通りである。３ＧＨｚまでの周波数範囲についてはＬ＝４であり、３ＧＨｚ〜６ＧＨｚの周波数範囲についてはＬ＝８であり、６ＧＨｚ〜５２．６ＧＨｚの周波数範囲についてはＬ＝６４である。
【００１５】
各ＳＳバーストセットの内部の送信されるＳＳブロックの特定の最小数は、ＵＥ測定の性能要件を規定するために使用されることになる。
【００１６】
ＳＳバーストセットの内部のＳＳブロックの送信は、ＳＳバーストセットの周期性に関係なく５ミリ秒のウィンドウに制限される。この５ミリ秒のウィンドウの範囲内で、ＳＳブロック位置の可能な候補の数は（上記で説明されたように）Ｌである。セルにおける同一のＳＳバーストセットの内部のＳＳブロックは、時間的に連続していても連続していなくてもよい。
【００１７】
ＮＲの態様はセルベースではなくビームベースであり、所与のアクセスポイント（ＮＲ文書ではｇＮＢと称される）が、アンテナ配列を使用して、複数のビーム形成されたビームを送信し得る。したがって、ＮＲにおけるネットワーク制御されたモビリティは、３８．３００で論じられているように、セルレベルモビリティおよびビームレベルモビリティの２つのタイプのモビリティを含む。ＮＲに関して、ＲＬＭおよびＲＲＭの測定技法は完全には規定されていない。
【発明の概要】
【００１８】
本明細書で説明された技法のいくつかの実施形態によれば、ネットワークノード（たとえばｇＮＢ、基地局、アクセスポイントなど）は、ビームレベル測定およびセルレベル測定のための異なる参照信号（ＲＳ）タイプに関する異なるレベルの細分性を伴う測定のフィルタリング設定を用いてＵＥを設定することができる。実施形態は、シングルビームネットワーク設定用とマルチビームネットワーク設定用のフィルタリングの差別化を含む。
【００１９】
いくつかの実施形態では、ビームレベル測定用のフィルタリング設定パラメータ（たとえばレイヤ３フィルタの係数）は、ビーム設定（たとえば測定するビームの数、ＳＳバーストセットの内部のＳＳブロックの数など）にさらに依拠し得る。
【００２０】
したがって、実施形態は、セルレベル設定対ビームレベル設定およびＲＳタイプに関する異なる測定（または測定指示）のフィルタリング設定を使用することを包含し得る。測定（または測定指示）のフィルタリング設定は、報告トリガ評価のために入力として使用されるＲＲＭ測定の時間領域フィルタリングと、ＲＬＦに関連したパラメータ（ＮＲ−Ｎ３１０、ＮＲ−３１１、ＲＬＦタイマ、ビーム回復試行の最大数など）との一方または両方に関係し得る。
【００２１】
様々な実施形態において、ＵＥは、ネットワークノードから受信したメッセージおよびあらかじめ規定されたルールのうち少なくとも１つを基に、ＮＲ測定のための測定のフィルタリング設定を決定する。
【００２２】
いくつかの実施形態によれば、無線デバイスにおいてＲＲＭおよび／またはＲＬＭのための測定を遂行する方法は、複数の無線測定を遂行することを含む。この方法はまた、第１のフィルタリング設定を使用して無線測定の少なくとも第１のサブセットをフィルタリングすることと、第１のフィルタリング設定とは異なる第２のフィルタリング設定を使用して無線測定の少なくとも第２のサブセットをフィルタリングすることとを含む。第１のフィルタリング設定および第２のフィルタリング設定は、それぞれ、第１および第２の異なるタイプの参照信号に、またはそれぞれ、ビームレベル測定およびセルレベル測定に適用される。
【００２３】
いくつかの実施形態によれば、無線通信ネットワークの少なくとも１つのネットワークノードにおいてＲＲＭおよび／またはＲＬＭのための測定を容易にする方法は、無線デバイスに、ＲＲＭおよび／またはＲＬＭのための第１のフィルタリング設定と、ＲＲＭおよび／またはＲＬＭのための、第１のフィルタリング設定とは異なる第２のフィルタリング設定とを指示する情報を送信することを含む。第１のフィルタリング設定および第２のフィルタリング設定は、それぞれ、第１および第２の異なるタイプの参照信号に、またはそれぞれ、ビームレベル測定およびセルレベル測定に適用される。
【００２４】
いくつかの実施形態によれば、ＲＲＭおよび／またはＲＬＭのための測定を遂行するように設定された無線デバイスは、無線信号を送受信するように設定されたトランシーバサーキットリ（回路構成）と、トランシーバサーキットリに対して動作可能に関連づけられた処理サーキットリとを含む。処理サーキットリは、複数の無線測定を遂行し、第１のフィルタリング設定を使用して無線測定の少なくとも第１のサブセットをフィルタリングし、第１のフィルタリング設定とは異なる第２のフィルタリング設定を使用して無線測定の少なくとも第２のサブセットをフィルタリングするように設定されている。第１のフィルタリング設定および第２のフィルタリング設定は、それぞれ、第１および第２の異なるタイプの参照信号に、またはそれぞれ、ビームレベル測定およびセルレベル測定に適用される。
【００２５】
いくつかの実施形態によれば、ＲＲＭおよび／またはＲＬＭのための測定を容易にするように設定された無線通信ネットワークの少なくとも１つのネットワークノードは、無線デバイスと通信するように設定されたトランシーバサーキットリと、トランシーバサーキットリに対して動作可能に関連づけられた処理サーキットリとを含む。処理サーキットリは、トランシーバサーキットリを介して無線デバイスに、ＲＲＭおよび／またはＲＬＭのための第１のフィルタリング設定と、ＲＲＭおよび／またはＲＬＭのための、第１のフィルタリング設定とは異なる第２のフィルタリング設定とを指示する情報を送るように設定されている。第１のフィルタリング設定および第２のフィルタリング設定は、それぞれ、第１および第２の異なるタイプの参照信号に、またはそれぞれ、ビームレベル測定およびセルレベル測定に適用される。
【００２６】
さらなる実施形態は、装置、デバイス、ネットワークノード、コンピュータ可読媒体、コンピュータプログラム製品および機能的実装形態によって実施される方法を含み得る。
【００２７】
もちろん、本発明は上記の特徴および利点に限定されない。当業者なら、以下の詳細な説明を読み取り、添付図面を見れば、さらなる特徴および利点を認識するであろう。
【図面の簡単な説明】
【００２８】
【図１】ＬＴＥにおける測定モデルの図示である。
【図２】高レベルの測定モデルの図示である。
【図３】いくつかの実施形態による、無線デバイスを図示するブロック図である。
【図４】いくつかの実施形態による、ＲＲＭおよび／またはＲＬＭに関する測定を遂行するための無線デバイスにおける方法を図示する流れ図である。
【図５】いくつかの実施形態による、無線通信ネットワークのネットワークノードを図示するブロック図である。
【図６】いくつかの実施形態による、ＲＲＭおよび／またはＲＬＭに関する測定を容易にするためのソースノードにおける方法を図示する流れ図である。
【図７】いくつかの実施形態による、無線デバイスの機能的実装形態を図示するブロック図である。
【図８】いくつかの実施形態による、ネットワークノードの機能的実装形態を図示するブロック図である。
【発明を実施するための形態】
【００２９】
ＮＲにおけるＲＲＭ測定の場合には、以下の測定モデルがＴＳ  ３８．３００に取り込まれている。ＵＥは、ＲＲＣ＿ＣＯＮＮＥＣＴＥＤ状態では、セルの複数の（少なくとも１つの）ビームを測定し、測定結果（電力値）はセルの品質を導出するために平均化される。ＵＥは、その際、最善のビームと、設定可能な絶対閾値を超えたＮ−１個の最善のビームとの、検出されたビームのサブセットを考慮に入れるように設定されている。ネットワークはまた、ＵＥを、測定報告に含めるべきレイヤ３（Ｌ３）フィルタリングされるビームレベル測定を遂行するように設定することができる。対応する高レベルの測定モデルは図２に図示されており、図２はＴＳ  ３８．３００の図９．２．４−１から適合されたものである。この測定モデルにおいて図示された構成要素およびパラメータは、ＴＳ  ３８．３００では以下のように説明されている。
注：Ｋ個のビームは、ｇＮＢによってＬ３モビリティ用に設定され、Ｌ１においてＵＥによって検知された、ＮＲ−ＳＳブロックまたはＣＳＩ−ＲＳリソースにおける測定に対応する。
−  Ａ：物理レイヤの内部の測定（ビーム固有のサンプル）。
−  レイヤ１フィルタリング：ポイントＡにおいて測定された入力の内部レイヤ１フィルタリング。厳密なフィルタリングは実装形態に依拠する。物理レイヤにおいて実装形態（入力Ａおよびレイヤ１フィルタリング）によって実際に測定するやり方には、規格による制約はない。
−  Ａ１：レイヤ１フィルタリングの後にレイヤ１によってレイヤ３に報告される測定（すなわちビーム固有の測定）。
−  ビームの統合／選択：Ｎ＞１であればセルの品質を導出するためにビーム固有の測定が統合され、そうでなくＮ＝１のときにはセルの品質を導出するための最善のビームの測定が選択される。ビームの統合／選択の挙動は規格化されており、このモジュールはＲＲＣシグナリングによって設定される。Ｂにおける報告期間はＡ１における１つの測定期間と等しい。
−  Ｂ：ビーム固有の測定から導出された測定（すなわちセルの品質）は、ビームの統合／選択の後にレイヤ３に報告される。
−  セルの品質のためのレイヤ３フィルタリング：ポイントＢにおいてもたらされた測定に対してフィルタリングが遂行される。レイヤ３フィルタの挙動は規格化されており、レイヤ３フィルタはＲＲＣシグナリングによって設定される。Ｃにおけるフィルタリング報告期間はＢにおける１つの測定期間と等しい。
−  Ｃ：レイヤ３フィルタにおける処理の後の測定。この報告レートはポイントＢにおける報告レートと同一である。この測定は、報告基準の１つまたは複数の評価のための入力として使用される。
−  報告基準の評価：ポイントＤにおいて実際の測定報告が必要かどうかを検査する。この評価は、たとえば異なる測定の間の比較といった、参照ポイントＣにおける測定の２つ以上の流れに基づくものであり得る。これは入力ＣおよびＣ１によって図示されている。ＵＥは、少なくともポイントＣ、Ｃ１において新規の測定結果が報告されるごとに報告基準を評価するものとする。報告基準は規格化されており、ＲＲＣシグナリング（ＵＥ測定）によって設定される。
−  Ｄ：無線インターフェースを介して測定報告情報（メッセージ）が送られる。
−  Ｌ３ビームフィルタリング：ポイントＡ１においてもたらされた測定（すなわちビーム固有の測定）に対してフィルタリングが遂行される。ビームフィルタの挙動は規格化されており、ビームフィルタはＲＲＣシグナリングによって設定される。Ｅにおけるフィルタリング報告期間はＡ１における１つの測定期間と等しい。
−  Ｅ：ビームフィルタにおける処理後の測定（すなわちビーム固有の測定）。この報告レートはポイントＡ１における報告レートと同一である。この測定は、報告されるＸ個の測定を選択するための入力として使用される。
−  ビーム報告のためのビーム選択：ポイントＥにおいてもたらされた測定からＸ個の測定を選択する。ビームの選択の挙動は規格化されており、このモジュールはＲＲＣシグナリングによって設定される。
−  Ｆ：無線インターフェース上の（送られた）測定報告に含まれるビームの測定情報。
【００３０】
ＴＳ  ３８．３００で論じられているように、レイヤ１フィルタリング２１０は、一定レベルの測定の平均化を導入する。ＵＥが必要な測定を遂行する厳密なやり方および時期は、Ｂにおける出力が３ＧＰＰ  ＴＳ  ３８．１３３においてセットされた性能要件を満たす点に、実装に応じて固有である。ビームの統合／選択はブロック２１０によって示されている。使用されるセルの品質および関連したパラメータのためのレイヤ３フィルタリング２３０は、３ＧＰＰ  ＴＳ  ３８．３３１に規定されており、ＢとＣの間のサンプル入手可能性におけるいかなる遅延も導入しない。ポイントＣ、Ｃ１における測定は、イベント評価２４０において使用される入力である。使用されるＬ３ビームフィルタリング２２０および関連したパラメータは、３ＧＰＰ  ＴＳ  ３８．３３１に規定されており、ＥとＦの間のサンプル入手可能性におけるいかなる遅延も導入しない。報告のためのビーム選択はブロック２３０によって示されている。
【００３１】
ＲＬＭ測定の場合には、ＴＳ  ３８．３００によれば、ＲＲＣ＿ＣＯＮＮＥＣＴＥＤ状態では、ＵＥは、物理レイヤからの無線問題の指示の後に始動したタイマの満了（タイマが満了する前に無線問題が回復した場合には、ＵＥはタイマを停止する）、ラングムアクセスプロシージャの障害、およびＲＬＣの障害、といった基準のうち１つが満たされるとＲＬＦを宣言する。ビーム障害の回復に関連した指示がＲＬＦの宣言に影響するかどうかということは、将来の研究事項である。
【００３２】
ＲＬＦが宣言された後に、ＵＥは、ＲＲＣ＿ＣＯＮＮＥＣＴＥＤにとどまり、適切なセルを選択し、次いでＲＲＣの再確立を開始して、ＲＬＦを宣言してから一定時間内に適切なセルが見いだされなければ、ＲＲＣ＿ＩＤＬＥ状態になる。
【００３３】
デュアルコネクティビティ（ＤＣ）では、ＲＬＦは、マスタセルグループ（ＭＣＧ）と２次セルグループ（ＳＣＧ）に対して別個に宣言される。上記で説明されたＲＬＦに続くアクションは、ＭＣＧ上のＲＬＦにのみ適用される。ＳＣＧ上のＲＬＦの後、ＵＥは、ＳＣＧにおける通常の動作を停止しして、ネットワークに障害を報告する。
【００３４】
ＮＲでは、ＬＴＥと異なり、測定モデルであるＲＬＭ設定を完成するために新規の態様を考慮に入れるべきであることが認められ得る。フィルタリング設定は、以下のようにＲＲＣ規格に取り込まれ得る。１）ＵＥは、測定報告に含まれるＬ３フィルタリングされたビームレベルＲＲＭ測定を遂行するように設定され得、２）ＵＥは、ＳＳブロック、ＣＳＩ−ＲＳ、または両方に基づいてＲＲＭ測定を遂行するように設定され得る。ＵＥは、セルレベル測定および／またはビームレベル測定を報告するように要求され得る。３）ＵＥは、ＮＲ−ＳＳまたはＣＳＩ−ＲＳに基づいてＲＬＭを遂行するように設定され得、すなわち、ＲＬＦは、（かなり異なるようにビーム形成され得ると考えて）かなり異なる特性を有し得る異なる参照信号を基に測定された無線状態に基づいてトリガされ得る。加えて、現在は、ＮＲ用のＵＥ測定のフィルタリングを設定するやり方について規定されたルールもシグナリングもない。
【００３５】
本明細書で説明された実施形態はこれらの問題に対処するものである。本明細書で説明された技法のいくつかの実施形態によれば、たとえば、ネットワークノード（たとえばｇＮＢ、基地局、アクセスポイントなど）は、ビームレベル測定およびセルレベル測定のための異なる参照信号（ＲＳ）タイプに関する異なるレベルの細分性を伴う測定のフィルタリング設定を用いてＵＥを設定することができる。実施形態は、シングルビームネットワーク設定用とマルチビームネットワーク設定用のフィルタリングの差別化も含み得る。
【００３６】
いくつかの実施形態では、ビームレベル測定用のフィルタリング設定パラメータ（たとえばレイヤ３フィルタの係数）は、ビーム設定（たとえば測定するべきビームの数、ＳＳバーストセットの内部のＳＳブロックの数など）にさらに依拠し得る。
【００３７】
同封の実施形態のうち１つまたは複数を用いれば、いくつかの利点が取得され得る。ＲＲＭ測定の場合には、ネットワークは、本明細書で説明された技法によって可能になる適応性を導入することにより、セルレベル測定と比較して、異なるフィルタ係数を用いるビームレベル測定を設定することができる。たとえば、ネットワークは安定した測定を基にハンドオーバをトリガするように関与してよく、よって、ビーム測定（メモリは重要であり得るか、またはこれらの測定の目的に依拠し得ない）と比較して、より長いメモリを用いてフィルタ係数を設定することになる。たらいまわしを避けるために、たとえば、ネットワークは、ＵＥが検知可能な最新のビームを識別するように関与してよいが、専用ＲＡＣＨ割り当てのためには、ビームごとの安定した測定が望ましいであろう。ＵＥが別々のフィルタ係数を用いてこれらの測定を報告し得るという別の利点があることに注目されたい。
【００３８】
別々のＲＳタイプに対して別々の係数を設定するときには、セルレベルの測定またはビームレベルの測定に関して、本明細書で説明された技法のうちいくつかには、これら別々のＲＳタイプのビーム形成のレベルがかなり異なり得るという利点がある。このことは、たとえばＳＳブロックが広い（ときには全方向の）ビームで送信される可能性があるが、ＣＳＩ−ＲＳは狭いビームで搬送されるので、測定の安定性にも効果があり得る。
【００３９】
ネットワークは、ＲＬＭ関連の測定または測定指示に関して、たとえばＣＳＩ−ＲＳとＳＳブロックに対して異なる値を設定することができる。狭いビームが配備されると、強度の信号対干渉雑音比（ＳＩＮＲ）が検知される状況が増えるはずであり、ＵＥがこれらに基づいてＲＬＦを宣言することはネットワークにとって望ましくない可能性がある。よって、より長いフィルタリングは理にかなっている。ＳＳブロックについて同様であり、その場合、ＵＥが高速で作動することがネットワークにとって望ましい可能性があり、これは、それがサービングセルの共通制御チャネルの基本的なカバレッジと相関づけられ得るからである。場合によってはシグナリングのオーバヘッドも低減され得る。
【００４０】
本開示の状況では、「フィルタリング」は、測定報告をトリガする基準の評価に対する入力として使用されるＲＲＭ測定の時間領域フィルタリングを含み得る。その場合、フィルタ係数は、たとえば、参照信号受信電力（ＲＳＲＰ）、参照信号受信品質（ＲＳＲＱ）、またはＳＩＮＲなどの最新の測定結果用にｆｃ１が設定され得、以前にフィルタリングされた測定結果用にｆｃ２が設定され得る。この場合、セルレベル測定とビームレベル測定に関してかなり異なるビーム形成特性または異なる設定値があり得るので、実施形態は、ＲＳタイプごとに設定された異なるフィルタ係数を含み得る。
【００４１】
フィルタリングは、ＲＬＦタイマをトリガする同期外れ指示の数に関するＮＲ−Ｎ３１０のような閾値など、ＲＬＦ関連のフィルタリングパラメータも含み得る。ネットワークは、ＲＬＦタイマをあまりにも早くトリガする高速の強度の測定結果を避けるために、閾値の値を１よりも大きくセットすることができる。ＲＬＦ関連のフィルタリングパラメータは、ＲＬＦタイマに関する値も含み得る。タイマがより長ければ、ネットワークは、状態の回復がおそらく不可能であるとの見通しをより確実に得ることができ、よって、このことは、より広い意味でフィルタリング設定と見なされ得る。ＲＬＦ関連のフィルタリングパラメータは、ＲＬＦタイマを停止することができる同期指示の数に関するＮＲ−Ｎ３１１のような閾値を含み得る。ネットワークは、リンクが実際に回復したといういくらかのレベルの確実性があるときにのみＲＬＦタイマの急停止を避けるために、この閾値の値を１よりも大きくセットすることができる。ＲＬＦ関連のパラメータは、ＲＬＦをトリガするように設定され得るビーム障害回復の試行の最大数に対する閾値も含み得る。ネットワークは、ＲＬＦまたはＲＬＦタイマがあまりにも速くトリガされるのを避けるために、この閾値の値を１よりも大きくセットすることができる。これは、ＳＳブロックベースのＲＬＭと比較して、ＣＳＩ−ＲＳベースのＲＬＭに関して異なり得る。これらのＲＬＦフィルタリングパラメータ（タイマ、ＮＲ−Ｎ３１０、ＮＲ−３１１など）の場合には、セルレベル測定およびビームレベル測定に関してかなり異なるビーム形成特性または異なる設定値を有し得るので、ＲＳタイプごとに異なる値の係数が設定され得る。
【００４２】
いくつかの実施形態は、他のものよりも、ＲＲＭ測定の設定に対してより密接に関連づけて考えられ得る。前述のように、本明細書で説明された技法に含まれる方法では、ネットワークノード（たとえばサーブするｇＮＢ）は、ビームレベル測定とセルレベル測定に関して異なるレベルの細分性を伴うフィルタリング設定を用いてＵＥを設定することができる。
【００４３】
第１の実施形態では、たとえば、ネットワークノードは、第１のタイプの参照信号（ＲＳ１）（たとえばＣＳＩ−ＲＳ）に基づくビームレベル測定と、第２のタイプの参照信号（ＲＳ２）（たとえばＳＳブロック）に基づくビームレベル測定とに対して、異なるフィルタリング設定を用いてＵＥを設定することができる。言い換えれば、フィルタリングは、ビームレベル測定に対してＲＳタイプごとに設定され得る。
【００４４】
第２の実施形態では、ネットワークノードは、各ビームレベル測定に対して、ＲＳ１（たとえばＣＳＩ−ＲＳ）ベースの測定またはＲＳ２（たとえばＳＳブロック）ベースの測定のどちらにも有効な単一の設定を用いてＵＥを設定することができる。この設定は、セルレベルのフィルタリング設定と比較して、なお異なるものであり得る。
【００４５】
第３の実施形態では、ネットワークノードは、ＲＳ１（たとえばＣＳＩ−ＲＳ）に基づくセルレベルの測定と、ＲＳ１（たとえばＳＳブロック）に基づくセルレベルの測定に対して、異なるレベルの細分性を伴うフィルタリング設定を用いてＵＥを設定することができ、この設定は、ビームレベルのフィルタリング設定と比較して、なお異なるものであり得る。
【００４６】
第４の実施形態では、ネットワークノードは、各セルレベルの測定に対して、ＲＳ１（たとえばＣＳＩ−ＲＳ）ベースの測定またはＲＳ１（たとえばＳＳブロック）ベースの測定のいずれかに有効な単一の設定を用いてＵＥを設定することができる。この設定は、ビームレベルのフィルタリング設定と比較して、なお異なるものであり得る。
【００４７】
いくつかの実施形態では前述の実施形態の組み合わせが実施される。たとえば、最大の適応性のために、ＲＳタイプごとに、またビーム測定結果とセル測定結果に対して、異なるフィルタ設定が可能であろう。その場合、規格における実施形態を符号化するやり方の１つには、ＲＳ１またはＲＳ２（たとえばＳＳブロック／ＣＳＩ−ＲＳ）ベースの測定結果に基づいて、ビーム／セル測定結果について、フィルタ係数が異なり得ることを以下のように指示することのみによるものがある。この例および以下の例は、既存の３ＧＰＰ規格の修正形態に基づくものであることに留意されたい。
５．５．３．２  レイヤ３フィルタリング
ＵＥは以下を行うものとする。
１＞ＵＥが５．５．３．１に従って測定を遂行する各測定量について、
２＞測定結果を、報告基準の評価または測定報告用に使用する前に、次式によってフィルタリングする。
Ｆｎ＝（１−ａ）・Ｆｎ−１＋ａ・Ｍｎ
ここで
Ｍｎは、物理レイヤからの最新の受信された測定結果（ビーム測定結果の場合）またはビーム統合関数（セル測定結果の場合）であり、
Ｆｎは、更新済のフィルタリングされた測定結果であり、（セル測定結果の場合には）報告基準の評価に使用され、または（セル測定結果およびビーム測定結果の場合には）測定報告に使用されるものであり、
Ｆｎ−１は、古いフィルタリングされた測定結果であり、Ｆ０は、物理レイヤからの第１の測定結果またはビーム統合関数が受信されたときＭ１にセットされ、
ａ＝１／２（ｋ／４）であり、ｋは、ｑｕａｎｔｉｔｙＣｏｎｆｉｇによって受信された対応する測定量向けのｆｉｌｔｅｒＣｏｅｆｆｉｃｉｅｎｔである。セル測定結果とビーム測定結果について、異なるパラメータｋがあり得る。ＳＳブロックに基づく測定結果とＣＳＩ−ＲＳに基づく測定結果についても、異なるパラメータｋがあり得、
２＞ｆｉｌｔｅｒＣｏｅｆｆｉｃｉｅｎｔ  ｋがサンプルレートを２００ミリ秒と等しいと想定するものと観測として、フィルタの時間特性が異なる入力レートに保たれるようにフィルタを適合させる。
注２：ｋが０にセットされているとレイヤ３フィルタリングは適用できない。
注３：フィルタリングは、報告基準の評価または測定報告に使用されるものと同一の定義域において遂行され、すなわち対数測定については対数フィルタリングが遂行される。
注４：フィルタ入力レートは、［１６］においてセットされている性能要件を満たすために実装形態に依拠する。物理レイヤ測定に関するさらなる詳細については、ＴＳ  ３６．１３３［１６］を参照されたい。
注５：セル測定結果とビーム測定結果について、異なるパラメータｋがあり得る。
注６：セル測定結果とビーム測定結果について、異なるパラメータｋがあり得る。
【００４８】
３ＧＰＰ  ＲＲＣ規格においてこれらを取り込む別の可能なやり方には、以下のように、セル測定結果とビーム測定結果について機能を分割し、それらの各々において、ＳＳブロックの測定結果用のフィルタ係数とＣＳＩ−ＲＳの測定結果用のフィルタ係数は異なり得ると指示するものがある。
５．５．３．２．１  セル測定結果のレイヤ３フィルタリング
ＵＥは以下を行うものとする。
１＞ＵＥが５．５．３．１に従って測定を遂行する各セルの測定量について、
２＞セル測定結果を、報告基準の評価または測定報告用に使用する前に、次式によってフィルタリングする。
Ｆｎ＝（１−ａ）・Ｆｎ−１＋ａ・Ｍｎ
ここで
Ｍｎは、５．５．ｘ．ｙに規定されているようなビームの統合／選択（セルの品質導出）機能からの最新の受信された測定結果であり、
Ｆｎは、報告基準の評価または測定報告に使用される、更新後のフィルタリングされたセル測定結果であり、
Ｆｎ−１は古いフィルタリングされたセル測定結果であり、Ｆ０は、５．５．ｘ．ｙに規定されているようなビームの統合／選択（セルの品質導出）機能から第１の測定結果が受信されたときＭ１にセットされ、また
ａ＝１／２（ｋ／４）であり、ｋは、ｑｕａｎｔｉｔｙＣｏｎｆｉｇによって受信された対応するセルの測定量向けのｆｉｌｔｅｒＣｏｅｆｆｉｃｉｅｎｔであり、ｋは、ＳＳブロックに基づくセル測定結果とＣＳＩ−ＲＳに基づくセル測定結果については異なって設定され得、
２＞ｆｉｌｔｅｒＣｏｅｆｆｉｃｉｅｎｔ  ｋがサンプルレートを２００ミリ秒と等しいと想定するものと観測として、フィルタの時間特性が異なる入力レートに保たれるようにフィルタを適合させる。
注２：ｋが０にセットされているとレイヤ３フィルタリングは適用できない。
注３：フィルタリングは、報告基準の評価または測定報告に使用されるものと同一の定義域において遂行され、すなわち対数測定については対数フィルタリングが遂行される。
注４：フィルタ入力レートは、［１６］においてセットされている性能要件を満たすために実装形態に依拠する。物理レイヤ測定に関するさらなる詳細については、ＴＳ  ３６．１３３［１６］を参照されたい。
５．５．３．２．２  ビーム測定結果のレイヤ３フィルタリング
ＵＥは以下を行うものとする。
１＞ＵＥが５．５．３．１に従って測定を遂行する各ビーム測定量について、
２＞ビーム測定結果を、測定報告用に使用する前に、次式によってフィルタリングする。
Ｆｎ＝（１−ａ）・Ｆｎ−１＋ａ・Ｍｎ
ここで
Ｍｎは物理レイヤから受信された最新の測定結果であり、
Ｆｎは、測定報告に使用される更新済のフィルタリングされたビーム測定結果であり、
Ｆｎ−１は、古いフィルタリングされたビーム測定結果であり、Ｆ０は、物理レイヤから第１の測定結果が受信されたときＭ１にセットされ、
ａ＝１／２（ｋ／４）であり、ｋは、ｑｕａｎｔｉｔｙＣｏｎｆｉｇによって受信された対応するビームの測定量向けのｆｉｌｔｅｒＣｏｅｆｆｉｃｉｅｎｔであり、ｋは、ＳＳブロックに基づくビーム測定結果とＣＳＩ−ＲＳに基づくセル測定結果については異なって設定され得、
２＞ｆｉｌｔｅｒＣｏｅｆｆｉｃｉｅｎｔ  ｋがサンプルレートを２００ミリ秒と等しいと想定するものと観測として、フィルタの時間特性が異なる入力レートに保たれるようにフィルタを適合させる。
注２：ｋが０にセットされているとレイヤ３フィルタリングは適用できない。
注３：フィルタリングは、報告基準の評価または測定報告に使用されるものと同一の定義域において遂行され、すなわち対数測定については対数フィルタリングが遂行される。
注４：フィルタ入力レートは、［１６］においてセットされている性能要件を満たすために実装形態に依拠する。物理レイヤ測定に関するさらなる詳細については、ＴＳ  ３６．１３３［１６］を参照されたい。
2020533847.tif 000006
【００４９】
ＲＲＣ規格においてこれらを取り込むための別の可能なやり方には、以下に示されるように、（セルレベルとビームレベルの両方に関する）ＳＳブロックベースの測定結果と、（セルレベルとビームレベルの両方に関する）ＣＳＩ−ＲＳベースの測定結果とに関して機能を分割することによるものがある。ＲＲＣ規格においてこれを符号化するためのやり方には、ＲＳタイプごとにｑｕａｎｔｉｔｙＣｏｎｆｉｇ  ＩＥを規定し、各ＲＳタイプに対して、たとえばＲＳＲＰ、ＲＳＲＱおよびＳＩＮＲといった各測定量に関するセルレベルおよびビームレベルの係数を規定することによるものがある。これは以下のように示される。
５．５．３．２  ＳＳブロック測定結果のレイヤ３フィルタリング
ＵＥは以下を行うものとする。
１＞ＵＥが５．５．３．１に従って測定を遂行するＳＳブロックに基づいて導出される各測定量について、
２＞測定結果を、報告基準の評価または測定報告用に使用する前に、次式によってフィルタリングする。
Ｆｎ＝（１−ａ）・Ｆｎ−１＋ａ・Ｍｎ
ここで
Ｍｎは、物理レイヤからの最新の受信された測定結果（ビーム測定結果の場合）またはビーム統合関数（セル測定結果の場合）であり、
Ｆｎは、更新済のフィルタリングされた測定結果であり、（セル測定結果の場合には）報告基準の評価に使用され、または（セル測定結果およびビーム測定結果の場合には）測定報告に使用されるものであり、
Ｆｎ−１は、古いフィルタリングされた測定結果であり、Ｆ０は、物理レイヤからの第１の測定結果またはビーム統合関数が受信されたときＭ１にセットされ、
ａ＝１／２（ｋ／４）であり、ｋは、ｑｕａｎｔｉｔｙＣｏｎｆｉｇによって受信された対応する測定量向けのｆｉｌｔｅｒＣｏｅｆｆｉｃｉｅｎｔである。セル測定結果とビーム測定結果について、異なるパラメータｋがあり得る。
２＞ｆｉｌｔｅｒＣｏｅｆｆｉｃｉｅｎｔ  ｋがサンプルレートを２００ミリ秒と等しいと想定するものと観測として、フィルタの時間特性が異なる入力レートに保たれるようにフィルタを適合させる。
注２：ｋが０にセットされているとレイヤ３フィルタリングは適用できない。
注３：フィルタリングは、報告基準の評価または測定報告に使用されるものと同一の定義域において遂行され、すなわち対数測定については対数フィルタリングが遂行される。
注４：フィルタ入力レートは、［１６］においてセットされている性能要件を満たすために実装形態に依拠する。物理レイヤ測定に関するさらなる詳細については、ＴＳ  ３６．１３３［１６］を参照されたい。
注５：セル測定結果とビーム測定結果について、異なるパラメータｋがあり得る。
５．５．３．２  ＣＳＩ−ＲＳ測定結果のレイヤ３フィルタリング
ＵＥは以下を行うものとする。
１＞ＵＥが５．５．３．１に従って測定を遂行するＣＳＩ−ＲＳに基づいて導出される各測定量について、
２＞測定結果を、報告基準の評価または測定報告用に使用する前に、次式によってフィルタリングする。
Ｆｎ＝（１−ａ）・Ｆｎ−１＋ａ・Ｍｎ
ここで
Ｍｎは、物理レイヤからの最新の受信された測定結果（ビーム測定結果の場合）またはビーム統合関数（セル測定結果の場合）であり、
Ｆｎは、更新済のフィルタリングされた測定結果であり、（セル測定結果の場合には）報告基準の評価に使用され、（セル測定結果およびビーム測定結果の場合には）測定報告に使用されるものであり、
Ｆｎ−１は、古いフィルタリングされた測定結果であり、Ｆ０は、物理レイヤからの第１の測定結果またはビーム統合関数が受信されたときＭ１にセットされ、
ａ＝１／２（ｋ／４）であり、ｋは、ｑｕａｎｔｉｔｙＣｏｎｆｉｇによって受信された対応する測定量向けのｆｉｌｔｅｒＣｏｅｆｆｉｃｉｅｎｔである。セル測定結果とビーム測定結果について、異なるパラメータｋがあり得る。
２＞ｆｉｌｔｅｒＣｏｅｆｆｉｃｉｅｎｔ  ｋがサンプルレートを２００ミリ秒と等しいと想定するものと観測として、フィルタの時間特性が異なる入力レートに保たれるようにフィルタを適合させる。
注２：ｋが０にセットされているとレイヤ３フィルタリングは適用できない。
注３：フィルタリングは、報告基準の評価または測定報告に使用されるものと同一の定義域において遂行され、すなわち対数測定については対数フィルタリングが遂行される。
注４：フィルタ入力レートは、［１６］においてセットされている性能要件を満たすために実装形態に依拠する。物理レイヤ測定に関するさらなる詳細については、ＴＳ  ３６．１３３［１６］を参照されたい。
注５：セル測定結果とビーム測定結果について、異なるパラメータｋがあり得る。
【００５０】
ＩＥ  ＱｕａｎｔｉｔｙＣｏｎｆｉｇは、測定量と、ＮＲ測定およびＲＡＴ間測定用のレイヤ３フィルタリング係数とを規定する。
2020533847.tif 000007
【００５１】
第５の実施形態では、ＵＥはＬ個の異なるフィルタリング設定を用いるＬタイプ測定を遂行するように設定され得る。これらの測定は、同一のＲＳタイプおよび同一のレベル用であり得る。たとえば、ネットワークは、ＵＥを、所与のフィルタリング設定ａ（より長いメモリを用いる）および別のフィルタリング設定ａ（より短いメモリを用いる）を用いてＣＳＩ−ＲＳベースのビームレベル測定を遂行するように設定することができる。別の例では、ネットワークは、ＵＥを、所与のフィルタリング設定ａ（より長いメモリを用いる）および別のフィルタリング設定ａ（より短いメモリを用いる）を用いてＢＢブロックベースのビームレベル測定を遂行するように設定することができる。別の例では、ネットワークは、ＵＥを、所与のフィルタリング設定ａ（より長いメモリを用いる）および別のフィルタリング設定ａ（より短いメモリを用いる）を用いてＢＢブロックベースのセルレベル測定を遂行するように設定することができる。別の例では、ネットワークは、ＵＥを、所与のフィルタリング設定ａ（より長いメモリを用いる）および別のフィルタリング設定ａ（より短いメモリを用いる）を用いてＣＳＩ−ＲＳベースのセルレベル測定を遂行するように設定することができる。
【００５２】
この方法は、ＵＥが、これらの測定が測定のフィルタリング設定に関連づけられているといういくつかの指示を伴って報告することを含み得る。この適応性を実現するやり方の１つには、ネットワークが、場合によりそれぞれ測定ＩＤに関連づけられ得る複数のｑｕａｎｔｉｔｙＣｏｎｆｉｇ  ＩＥをＲＡＴごとに用いてＵＥを設定することを可能にするものがあり得る。別の可能性には、ｍｅａｓＣｏｎｆｉｇの代わりにｑｕａｎｔｉｔｙＣｏｎｆｉｇがｒｅｐｏｒｔＣｏｎｆｉｇのＩＥとしてサーブするものがある。
【００５３】
別の実施形態では、ネットワークは、フィルタ設定が、参照フィルタ設定（たとえば、特定のタイプの測定または信号もしくは周波数に関するフィルタ設定が参照と見なされ得る）と比較して同一かそれとも異なるかを暗示的または明示的に指示することができる。暗示的指示は、たとえば、フィルタリング設定が異なるとき、それらはネットワークノードによって供給される、というものであり得る。そうでなければ、ＵＥは、フィルタ設定が参照と同一であると想定することができる。
【００５４】
さらに別の実施形態では、２つの測定またはこれらの測定に使用される信号が、サブキャリア間隔の差が閾値を超えている、２つのキャリア周波数の差が閾値を超えている、信号の周期性の差が閾値を超えている、帯域幅の差が閾値を超えている、帯域幅のうち少なくとも１つが閾値を超えている、またはサンプリングレートの差が閾値を超えている、といった別々の数秘学のうち１つまたは複数によって特徴づけられるとき、２つの異なるフィルタリング設定が設定される。そうでなければフィルタリング設定は同一であり得る。
【００５５】
さらに別の実施形態では、１つまたは複数のビーム測定に基づくセルレベル測定のフィルタリング設定は、１つまたは複数の条件が満たされたときセルレベル測定を決定するために使用されるビーム測定のものとは異なる。これは、たとえば、セルレベル測定を取得する周期性がビーム測定を取得する周期性とは異なる（たとえば頻度が低い）こと、および／またはビームの数が閾値を超えることを含み得る。これは、セルレベル測定を決定するのに使用される２つ以上のビーム測定の間の差が閾値を超えることを含み得る（たとえば、ビーム＃１のＲＳＲＰが−７０ｄＢｍであってビーム＃２のＲＳＲＰが−１１０ｄＢｍであれば、セルレベル測定は、２つのビームのうち少なくとも１つのフィルタリング設定とは異なるフィルタリング設定を有し得、ビーム＃１のＲＳＲＰが−７０ｄＢｍであってビーム＃２のＲＳＲＰが−９０ｄＢｍであれば、セルレベル測定のフィルタリング設定はビーム測定のものと同一でよい）。これは、セルレベル測定を決定するためのビーム測定を選択するための閾値が、閾値未満であることを含み得る。
【００５６】
ＵＥにとってルールが（たとえばあらかじめ規定されているか、またはネットワークノードによって指示されて）既知であるとき、ＵＥは、（たとえば特定のタイプの測定用の）フィルタリング設定パラメータの少なくとも１つのセットを決定する、または決定されたルールを基に、フィルタリング設定パラメータの少なくともサブセットを決定する（たとえば、ｋ１はシグナリングにより、ｋ２はルールを基に決定され、ｋ１とｋ２の両方が、ＵＥ測定用のフィルタリング関数ｆ（ｋ１，ｋ２）を設定するために使用される）。
【００５７】
さらに別の実施形態では、ビームレベル測定用のフィルタリング設定パラメータ（たとえばレイヤ３フィルタの係数）は、ＵＥがビームレベル無線測定を遂行すると期待されるビームのビーム設定（たとえば測定されるビームの数、ＳＳバーストの範囲内のＳＳブロックの数など）に依拠し得る。フィルタリング係数（Ｋ）とＳＳバースト（Ｌ）ごとのＳＳブロックの数の間の関係は、フィルタリングパラメータを用いてＵＥを設定するときのネットワークノード（たとえばｇＮＢ、ＢＳなど）の実装形態、所定のルールのうち任意のものに基づき得、あるいは関数またはルールがＵＥにシグナリングされ得る。
【００５８】
そのような（実施され得る、あらかじめ規定されている、または設定される）ルールの一例にはＫ＝ｆ（ｋｂ，Ｌ）があり、ｋｂは参照係数値である。関数の例には、最大、最小、掛け算などがある。ルールのうち特定の例の１つにはＫ＝ｋｂ×Ｌがある。ルールの別の例では、ＳＳバーストセットでより多数（Ｌ）のＳＳブロックが送信されるとき、フィルタリング係数（Ｋ）がより大きくなり、逆もまた同様であり、たとえばＬ＝４に対してＫ＝８となり、Ｌ＝１６に対してＫ＝１６となる。これによって、ネットワークノードによってより多数のビームが送信されるとき、ＵＥは、信号の、より大規模な時間領域平均化を遂行することができる。この場合の理由は（より多くのビームがあるとき）ビームがより狭いためである。したがって、より大きなＫ値によってより大規模な時間平均化が達成され、ビームに対して遂行される測定の信頼性が向上する。測定結果の信頼性が向上すれば、そのような測定に頼るプロシージャ（たとえばビーム変更、セルの品質推定、スケジューリング、電力制御など）のより正確な実行に通じる。
【００５９】
実施形態の別のセットは、ＲＬＦタイマのトリガ、ＲＬＦタイマの停止、ＲＬＦの直接トリガといったものを含むＲＬＦ制御に対する入力として使用されるＲＬＭ測定の設定と、より緊密に関係すると考えられ得る。しかしながら、これらの実施形態のうち１つまたは複数が、前述の実施形態と一部共通し得、かつ／またはこれを補足し得ることを理解されたい。
【００６０】
一実施形態では、シングルビーム設定対マルチビーム設定に対して行われる、ＲＬＭのためのパラメータ差別化がある。それによれば、ＵＥは、無線リンク監視のためにＵＥによって推定された無線リンク品質の時間領域フィルタリングに使用される高次レイヤフィルタリングに関連したパラメータの少なくとも２セットを用いて設定され、そのようなパラメータのセットのうち一方は、第１のタイプの参照信号（ＲＳ１）（たとえばＲＳ１＝ＣＳＩ−ＲＳ）上のシングルビームに対して行われるＲＬＭに使用され、そのようなパラメータのセットのうち他方は、ＲＳ１上の複数のビームに対して行われるＲＬＭ（たとえばマルチビームＲＬＭ）に使用される。たとえば、ＵＥは、ＲＳ１を使用するシングルビームに基づくＲＬＭに使用されるパラメータの第１のセット（Ｎ１１およびＮ１２）と、ＲＳ１を使用する複数のビームに基づくＲＬＭに使用されるパラメータの第２のセット（Ｎ１１’およびＮ１２’）を用いて設定される。別の例では、ＵＥは、第２のタイプの参照信号（ＲＳ２）を使用するシングルビームに基づくＲＬＭに使用されるパラメータの第３のセット（Ｎ２１およびＮ２２）と、ＲＳ２を使用する複数のビームに基づくＲＬＭに使用されるパラメータの第４のセット（Ｎ２１’およびＮ２２’）を用いて設定される。ＲＳ２の一例はＳＳブロック（たとえばＳＳＳ）における信号であり、別の態様によれば、パラメータＮ１１’、Ｎ１２’、Ｎ２１’、およびＮ２２’は、ＲＬＭに使用されるビームの数またはＳＳバーストセットの内部のＳＳブロックの数などのビーム設定にさらに依拠する。
【００６１】
さらに別の実施形態によれば、ＵＥは、ネットワークノードによって、同一タイプの参照信号を使用する無線リンク監視のためにＵＥによって推定された無線リンク品質の時間領域フィルタリングに使用される高次レイヤフィルタリング（たとえば時間領域のレイヤ３フィルタリングなど）に関連したパラメータの少なくとも２セットを用いて設定される。フィルタリングパラメータのセットの一方は、ＵＥによって、特定のタイプの参照信号（たとえばＲＳｘ）を使用してＤＬ無線リンク品質（たとえばＳＮＲ、ＳＩＮＲなどの信号品質）を推定することによりシングルビームに対してＲＬＭを遂行するために使用され得る。フィルタリングパラメータのセットの他方は、ＵＥによって、やはりＲＳｘを使用して複数のビームに対してＲＬＭ（たとえばマルチビームＲＬＭ）を遂行するために使用され得る。
【００６２】
マルチビームＲＬＭでは、ＵＥは、ＲＬＭを行うように設定されたすべてのビームのダウンリンク信号品質を推定する。ＲＳｘの例には、ＣＳＩ−ＲＳ、ＳＳＳ、復調参照信号（ＤＭＲＳ）などがある。ＵＥは、異なるタイプの参照信号に対してＲＬＭを行うためのパラメータの異なるセットを用いてさらに設定されてよい。上記の場合におけるパラメータの第２のセットは、ビーム設定にさらに関連づけられ得る。たとえば、パラメータの値は、ビームの数に対して線形または非線形にスケーリングされてよい。これらの態様は、以下でいくつかの例を用いて説明される。
【００６３】
一例では、ＵＥは、ネットワークノードによって、参照信号（ＲＳ１）の第１のセットを使用するシングルビームに基づくＲＬＭを行うようにＵＥによって使用されるフィルタリングパラメータの第１のセット（たとえばＮ１１およびＮ１２）を用いて設定され得る。パラメータＮ１１およびＮ１２は、シングルビームベースのＲＬＭにおいてそれぞれ同期外れ検知および同期検知のために使用されるダウンリンク信号品質のフィルタリングに使用される。たとえば、ＵＥは、Ｎ１１の連続した同期外れ指示を検知すると無線リンク障害タイマ（たとえばＴ３１０）を始動し、Ｎ１２の連続した同期指示を検知するとこのタイマを停止する。パラメータの第２のセット（Ｎ１１’およびＮ１２’）は、ＵＥによって、ＲＳ１を使用する複数のビームを基にＲＬＭを行うために使用され得る。パラメータＮ１１’およびＮ１２’は、マルチビームベースのＲＬＭにおいてそれぞれ同期外れ検知および同期検知のために使用されるダウンリンク信号品質のフィルタリングに使用される。たとえば、ＵＥは、Ｎ１１’の連続した同期外れ指示を検知すると無線リンク障害タイマ（たとえばＴ３１０）を始動し、Ｎ１２’の連続した同期指示を検知するとこのタイマを停止する。
【００６４】
別の例では、ＵＥは、ネットワークノードによって、第２のタイプの参照信号（ＲＳ２）を使用するシングルビームに基づくＲＬＭを行うようにＵＥによって使用されるパラメータの第３のセット（Ｎ２１およびＮ２２）を用いて設定され得る。パラメータＮ２１およびＮ２２は、シングルビームベースのＲＬＭにおいてそれぞれ同期外れ検知および同期検知に使用されるダウンリンク信号品質のフィルタリングに使用される。たとえば、ＵＥは、Ｎ２１の連続した同期外れ指示を検知すると無線リンク障害タイマ（たとえばＴ３１０）を始動し、Ｎ２２の連続した同期指示を検知するとこのタイマを停止する。パラメータの第４のセット（Ｎ２１’およびＮ２２’）は、ＲＳ２を使用する複数のビームに基づくＲＬＭ用に使用され得る。パラメータＮ２１’およびＮ２２’は、マルチビームベースのＲＬＭにおいてそれぞれ同期外れ検知および同期検知のために使用されるＤＬ信号品質のフィルタリングに使用される。たとえば、ＵＥは、Ｎ２１’の連続した同期外れ指示を検知すると無線リンク障害タイマ（たとえばＴ３１０）を始動し、Ｎ２２’の連続した同期指示を検知するとこのタイマを停止する。ＲＳ１の一例はＣＳＩ−ＲＳである。ＲＳ２の一例はＳＳブロックにおける信号（たとえばＳＳＳなど）である。
【００６５】
この実施形態の別の態様によれば、マルチビームＲＬＭにおけるＲＬＭの推定された信号品質をフィルタリングするために使用されるフィルタリングパラメータ（たとえばＮ１１’、Ｎ１２’、Ｎ２１’、およびＮ２２’）は、ＲＬＭを行うために使用されるビームのビーム設定にさらに関連づけられる。この関連づけは、あらかじめ規定されたもの、ネットワークノードの実装形態、およびＵＥにおけるネットワークノードによって設定されたもののうち任意のものであり得る。ビーム設定パラメータの例には、ＲＬＭに使用されるビームの数、ＳＳバーストセット内のＳＳブロックの数などがある。たとえば、ＳＳブロック信号に基づくマルチビームＲＬＭに使用されるビーム（たとえばＳＳブロック）の数（Ｐ）が特定のビーム閾値よりも多ければ、関連するフィルタリングパラメータ（たとえばＮ２１’および／またはＮ２２’）の値は特定のフィルタリング閾値（Ｇ）よりも大きく、そうでなければ関連するフィルタリングパラメータの値はＧ以下である。たとえば、Ｐ＝４であれば、Ｎ２１’は２であり、Ｎ２２’は４である。しかし、Ｐ＝８であれば、Ｎ２１’は４であり、Ｎ２２’は８である。
【００６６】
以前に説明された実施形態では、類似のレベルの細分性を用いて設定され得る別のＲＬＦ関連のパラメータは、以前の例のうちいくつかにおいてＴ３１０として表現されたＲＬＦタイマである。その場合、シングルビームのシナリオとマルチビームのシナリオに対して異なる値があり得る。ビーム形成の設定に依拠して、異なる値があり得る。設定される異なるＲＳタイプについて異なる値があり得、たとえばＳＳブロックベースのＲＬＭにはＣＳＩ−ＲＳベースのＲＬＭよりも長い値が用いられる。
【００６７】
マルチビームの場合には、一態様は、たとえば同期外れ指示を出力するイベントに関するトリガ条件でよい。シングルビームの場合には、トリガ条件は、たとえば２％の仮想ＢＬＥＲである。マルチビームの場合にはさらなる選択肢がある。第１の選択肢は、ＵＥが追従するすべてのビームが２％の仮想ＢＬＥＲ（または他のシングルビーム閾値）よりも劣るというものである。第２の選択肢は、追従されるすべてのビームのうちの設定された数が「シングルビーム閾値」よりも劣る場合、Ｎ２１’に向けてカウントを１つ加えるイベントである。第３の選択肢は、追従されるすべてのビームのうちの設定された数Ｖが「シングルビーム閾値」よりも優れるが残りは「シングルビーム閾値」よりも劣る場合、Ｎ２１’に向けてカウントを１つ加えるイベントである。たとえば、追従するビームの総数はＰ＝７である。第３の選択肢では、Ｎ２１’に向けたカウントは、ＵＥが単に設定されたシングルビーム閾値Ｔ’よりも優れるＶ＝２個のビームを見つけた場合に発生する。Ｖは、ＵＥが引き続き少なくともＶ個のビームを見つけるように、ＵＥを監視するための安全係数のようなものである。ＵＥがＮ２１およびＮ２２（シングルビーム設定）を用いて同時に設定されると、最近のビームがシングルビーム閾値Ｔよりも劣るとき、ＵＥはＮ２１に向けたカウントをトリガすることになる。Ｔ’の値とＴの値は、仮想ＢＬＥＲの同一または異なるパーセンテージのように、同一でも異なってもよいことに留意されたい。
【００６８】
ＵＥは、ネットワークによって、ビーム回復の試行の最大数を基にＲＬＦをトリガするように設定され得る。一実施形態では、ＲＬＦを宣言する前にビーム障害回復を試行するこの最大数は別個に設定され得、すなわちＣＳＩ−ＲＳに基づくものとＳＳブロックに基づくものでは、ビーム回復に関して異なって設定され得る。
【００６９】
前述の実施形態のうちいくつかによれば、図３は、いくつかの実施形態による無線デバイス５０のブロック図である。無線デバイス５０は、ＵＥ、無線通信デバイス、目標デバイス（通信のための目標とされたデバイス）、デバイスツーバイス（Ｄ２Ｄ）ＵＥ、マシンタイプＵＥまたはマシンツーマシン（Ｍ２Ｍ）が可能なＵＥ、ＵＥを装備したセンサ、ｉＰＡＤデバイス、タブレット、モバイル端末、スマートフォン、ＬＥＥ、ＬＭＥ、ＵＳＢドングル、ＣＰＥなどでよい。
【００７０】
無線デバイス５０は、アンテナ５４およびトランシーバサーキットリ５６によって１つまたは複数のノードと通信する。トランシーバサーキットリ５６は、移動体通信サービスを提供するために、無線アクセス技術によって信号を送受信するように総体として設定された送信器回路、受信器回路、および関連する制御回路を含み得る。様々な実施形態によれば、移動体通信サービスはたとえばＮＲ規格に従って動作し得る。
【００７１】
無線デバイス５０は、トランシーバサーキットリ５６に対して動作可能に関連づけられた処理サーキットリ５２を含む。処理サーキットリ５２は、たとえば１つまたは複数のマイクロプロセッサ、マイクロコントローラ、デジタル信号プロセッサ（ＤＳＰ）、フィールドプログラマブルゲートアレイ（ＦＰＧＡ）、複合プログラマブル論理デバイス（ＣＰＬＤ）、特定用途向け集積回路（ＡＳＩＣ）、またはこれらの任意の組み合わせといった１つまたは複数のデジタル処理回路を備える。より一般的には、処理サーキットリ５２は、固定サーキットリ、または本明細書で教示された機能を実施するプログラム命令を実行することによって特別に適合されたプログラム可能サーキットリを備えてよく、あるいは固定サーキットリとプログラムサーキットリの何らかの組み合わせを備え得る。処理サーキットリ５２はマルチコアでよい。
【００７２】
処理サーキットリ５２は記憶装置６４も含む。記憶装置６４は、いくつかの実施形態では、１つまたは複数のコンピュータプログラム６６を記憶し、任意選択で設定データ６８を記憶する。記憶装置６４は、コンピュータプログラム６６のための非一時的記憶機構をもたらし、ディスク記憶機構、ソリッドステートメモリ記憶機構、またはこれらの任意の組み合わせなど１つまたは複数のタイプのコンピュータ可読媒体を備え得る。たとえば、ここで、「非一時的」は、恒久的な、準恒久的な、または少なくとも一時的に持続性の記憶機構を意味し、プログラム実行のための、不揮発性メモリにおける長期記憶と作業メモリにおける記憶の両方を包含するものである。非限定的な例として、記憶装置６４は、ＳＲＡＭ、ＤＲＡＭ、ＥＥＰＲＯＭおよびＦＬＡＳＨメモリのうち任意の１つまたは複数を備え得、これらは処理サーキットリ５２の中にあってよく、かつ／または処理サーキットリ５２から分離されてもよい。記憶装置６４はまた、無線デバイス５０によって使用されるあらゆる設定データ６８を記憶し得る。
【００７３】
いくつかの実施形態では、処理サーキットリ５２のプロセッサ６２は、ＲＲＭおよび／またはＲＬＭのための測定を遂行するようにプロセッサ６２を設定する、記憶装置６４に記憶されたコンピュータプログラム６６を実行してよい。処理サーキットリ５２は複数の無線測定を遂行するように設定され得る。処理サーキットリ５２は、第１のフィルタリング設定を使用して無線測定の少なくとも第１のサブセットをフィルタリングし、第１のフィルタリング設定とは異なる第２のフィルタリング設定を使用して無線測定の少なくとも第２のサブセットをフィルタリングするようにも設定され得る。第１のフィルタリング設定および第２のフィルタリング設定は、それぞれ、第１および第２の異なるタイプの参照信号に、またはそれぞれ、ビームレベル測定およびセルレベル測定に適用される。
【００７４】
いくつかの実施形態では、処理サーキットリ５２は、図４に図示された方法４００など、ＲＲＭおよび／またはＲＬＭのための測定を遂行する対応する方法を遂行するように設定される。方法４００は、複数の無線測定を遂行すること（ブロック４０２）と、第１のフィルタリング設定を使用して無線測定の少なくとも第１のサブセットをフィルタリングすること（ブロック４０４）と、第１のフィルタリング設定とは異なる第２のフィルタリング設定を使用して無線測定の少なくとも第２のサブセットをフィルタリングすること（ブロック４０６）とを含む。方法４００は、測定された無線サンプルのレイヤ１フィルタリングを遂行して複数の無線測定を取得することをさらに含み得る。
【００７５】
第１のフィルタリング設定を使用するフィルタリング、および第２のフィルタリング設定を使用するフィルタリングは、それぞれレイヤ３フィルタリングを含み得る。第１のフィルタリング設定と第２のフィルタリング設定は、少なくとも平均化パラメータに関して異なり得る。
【００７６】
第１のフィルタリング設定を使用するフィルタリングおよび第２のフィルタリング設定を使用するフィルタリングのうち少なくとも１つのためのレイヤ３フィルタリングは、フィルタリングされた、セル固有の品質測定を生成し得る。方法４００は、セル固有の品質測定のレイヤ３フィルタリングの前に、ビーム固有の無線測定を基にビームの統合および選択を遂行することをさらに含み得る。第１のフィルタリング設定を使用するフィルタリングおよび第２のフィルタリング設定を使用するフィルタリングのうち少なくとも１つのためのレイヤ３フィルタリングは、フィルタリングされた、ビーム固有の品質測定も生成し得る。
【００７７】
場合によっては、第１のフィルタリング設定を使用するフィルタリングおよび第２のフィルタリング設定を使用するフィルタリングは、それぞれＲＬＦの評価のためのフィルタリングを含む。これらの場合には、第１のフィルタリング設定と第２のフィルタリング設定は、ＲＬＦタイマの始動をトリガする連続した同期外れ指示の数と、作動中のＲＬＦタイマを停止する連続した同期指示の数と、ＲＬＦタイマの持続時間と、ＲＬＦの宣言またはＲＬＦタイマの始動をトリガするビーム障害回復の試行の最大数とのうち少なくとも１つに関して異なり得る。
【００７８】
第１および第２の異なるタイプの参照信号および参照信号は、それぞれＣＳＩ−ＲＳおよび同期信号ブロックにおける同期信号であり得る。方法４００は、第１のフィルタリング設定と第２のフィルタリング設定とのうち少なくとも１つの、少なくとも１つのパラメータを指示するシグナリングを受信することを含み得る。
【００７９】
場合によっては、第１のフィルタリング設定と第２のフィルタリング設定とのうち少なくとも１つの、少なくとも１つのパラメータは、セルレベル測定を取得する周期性もしくはビームレベル測定を取得する周期性、または両方の周期性と、測定されるビームの数と、セルレベル測定を決定するために使用される２つ以上のビーム測定の間の測定値の差と、同期信号バーストを伴う同期信号ブロックの数とのうち少なくとも１つに依拠する。
【００８０】
図５は、いくつかの実施形態による、ネットワークノード３０の一例を図示するものである。ネットワークノード３０は、ＵＥとコアネットワークの間の通信を容易にする無線アクセスネットワークノードでよい。「無線アクセスネットワークノード」という一般的な用語を使用する際、無線アクセスネットワークノードは、基地局、無線基地局、ベーストランシーバ局、基地局コントローラ、ネットワークコントローラ、エボルブドノードＢ（ｅＮＢ）、ノードＢ、中継ノード、アクセスポイント、無線アクセスポイント、リモートラジオユニット（ＲＲＵ）またはリモート無線ヘッド（ＲＲＨ）であり得る。送信デバイスが無線アクセスネットワークノードである場合には、無線アクセスネットワークノードは、データおよび移動体通信サービスを提供するために、コアネットワークにおける他のノード、無線ノード、および／または、ネットワークにおける他のタイプのノードと通信するためのサーキットリを含む通信インターフェース回路３８を含み得る。
【００８１】
ネットワークノード３０は、アンテナ３４およびトランシーバサーキットリ３６によって他のデバイスと通信する。トランシーバサーキットリ３６は、移動体通信サービスを提供するために、無線アクセス技術によって信号を送受信するように総体として設定された送信器回路、受信器回路、および関連する制御回路を含み得る。様々な実施形態によれば、移動体通信サービスは、ＮＲを含む３ＧＰＰセル規格のうち任意の１つまたは複数に従って動作し得る。
【００８２】
ネットワークノード３０は１つまたは複数の処理回路３２も含み、これらは、他のデバイスと通信するためにトランシーバサーキットリ３６に対して動作可能に関連づけられており、場合によっては、ネットワークノードと通信するために通信インターフェース回路３８に対して動作可能に関連づけられる。通信はマルチキャリア動作を含み得る。「マルチキャリア」という用語は、「マルチキャリアシステム」、「マルチセル動作」、「マルチキャリア動作」、「マルチキャリア」送信および／または「マルチキャリア」受信などの類似の用語を包含し得る。マルチキャリア動作はＣＡを包含するようにも考えられ得る。
【００８３】
議論を簡単にするために、１つまたは複数の処理回路３２は、今後「処理サーキットリ３２」と参照される。処理サーキットリ３２は、たとえば１つまたは複数のマイクロプロセッサ、マイクロコントローラ、ＤＳＰ、ＦＰＧＡ、ＣＰＬＤ、ＡＳＩＣ、またはそれらの任意の組み合わせである１つまたは複数のデジタルプロセッサ４２を備える。より一般的には、処理サーキットリ３２は、固定サーキットリ、または本明細書で教示された機能を実施するプログラム命令を実行することによって特別に設定されたプログラム可能サーキットリを備えてよく、あるいは固定サーキットリとプログラムサーキットリの何らかの組み合わせを備え得る。プロセッサ４２は、性能強化、消費電力の低減、および複数タスクのより効率的な同時処理のために利用される、２つ以上のプロセッサコアを有するマルチコアでよい。
【００８４】
処理サーキットリ３２は記憶装置４４も含む。記憶装置４４は、いくつかの実施形態では、１つまたは複数のコンピュータプログラム４６を記憶し、任意選択で設定データ４８を記憶する。記憶装置４４は、コンピュータプログラム４６のための非一時的記憶機構をもたらし、ディスク記憶機構、ソリッドステートメモリ記憶機構、またはこれらの任意の組み合わせなど１つまたは複数のタイプのコンピュータ可読媒体を備え得る。非限定的な例として、記憶装置４４は、ＳＲＡＭ、ＤＲＡＭ、ＥＥＰＲＯＭおよびＦＬＡＳＨメモリのうち任意の１つまたは複数を備え得、これらは処理サーキットリ３２の中にあってよく、かつ／または処理サーキットリ３２から分離されてもよい。
【００８５】
いくつかの実施形態では、処理サーキットリ３２のプロセッサ４２は、ＲＲＭおよび／またはＲＬＭのための測定を容易にするようにプロセッサ４２を設定する、記憶装置４４に記憶されたコンピュータプログラム４６を実行する。処理サーキットリ３２は、無線デバイスに、ＲＲＭおよび／またはＲＬＭのための第１のフィルタリング設定と、ＲＲＭおよび／またはＲＬＭのための、第１のフィルタリング設定とは異なる第２のフィルタリング設定とを指示する情報を送るように設定されている。第１のフィルタリング設定および第２のフィルタリング設定は、それぞれ、第１および第２の異なるタイプの参照信号に、またはそれぞれ、ビームレベル測定およびセルレベル測定に適用される。
【００８６】
いくつかの実施形態では、処理サーキットリ３２は、図６に図示された方法６００など、ＲＲＭおよび／またはＲＬＭのための測定を容易にする対応する方法を遂行するように設定される。方法６００は、無線デバイスに、ＲＲＭおよび／またはＲＬＭのための第１のフィルタリング設定と、ＲＲＭおよび／またはＲＬＭのための、第１のフィルタリング設定とは異なる第２のフィルタリング設定とを指示する情報を送ること（ブロック６０２）を含む。
【００８７】
第１のフィルタリング設定と第２のフィルタリング設定は、少なくともレイヤ３フィルタリングのための平均化パラメータに関して異なり得る。第１のフィルタリング設定および第２のフィルタリング設定は、ＲＬＦを評価するためのフィルタリングにも関係し得る。
【００８８】
場合によっては、第１のフィルタリング設定と第２のフィルタリング設定は、ＲＬＦタイマの始動をトリガする連続した同期外れ指示の数と、作動中のＲＬＦタイマを停止する連続した同期指示の数と、ＲＬＦタイマの持続時間と、ＲＬＦの宣言またはＲＬＦタイマの始動をトリガするビーム障害回復の試行の最大数とのうち少なくとも１つに関して異なり得る。
【００８９】
第１および第２の異なるタイプの参照信号および参照信号は、それぞれＣＳＩ−ＲＳおよび同期信号ブロックにおける同期信号であり得る。
【００９０】
図７は、無線デバイス５０において実施され得るような例示の機能モジュールまたは回路アーキテクチャを図示するものである。図示された実施形態は、複数の無線測定を遂行するための測定モジュール７０２と、第１のフィルタリング設定を使用して無線測定の少なくとも第１のサブセットをフィルタリングするための第１のフィルタリングモジュール７０４と、第１のフィルタリング設定とは異なる第２のフィルタリング設定を使用して無線測定の少なくとも第２のサブセットをフィルタリングするための第２のフィルタリングモジュール７０６とを、少なくとも機能的に含む。第１のフィルタリング設定および第２のフィルタリング設定は、それぞれ、第１および第２の異なるタイプの参照信号に、またはそれぞれ、ビームレベル測定およびセルレベル測定に適用される。
【００９１】
図８は、ネットワークノード３０において実施され得るような例示の機能モジュールまたは回路アーキテクチャを図示するものである。図示された実施形態は、無線デバイスに、ＲＲＭおよび／またはＲＬＭのための第１のフィルタリング設定と、ＲＲＭおよび／またはＲＬＭのための、第１のフィルタリング設定とは異なる第２のフィルタリング設定とを指示する情報を送るための送信モジュール８０２を少なくとも機能的に含む。第１のフィルタリング設定および第２のフィルタリング設定は、それぞれ、第１および第２の異なるタイプの参照信号に、またはそれぞれ、ビームレベル測定およびセルレベル測定に適用される。
【００９２】
ことさら、前述の説明および関連する図面において提示された教示の利益を有する当業者なら、開示された発明の修正形態および他の実施形態が思い浮かぶはずである。したがって、本発明は、開示された特定の実施形態に限定されず、修正形態および他の実施形態はこの開示の範囲内に含まれるように意図されていることを理解されたい。本明細書では特定の用語が採用されていることがあるが、一般的かつ説明的な意味でのみ使用されており、限定するためのものではではない。
【図１】
2020533847.tif 000008
【図２】
2020533847.tif 000009
【図３】
2020533847.tif 000010
【図４】
2020533847.tif 000011
【図５】
2020533847.tif 000012
【図６】
2020533847.tif 000013
【図７】
2020533847.tif 000014
【図８】
2020533847.tif 000015
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
無線デバイス（５０）において無線リソース管理（ＲＲＭ）および／または無線リンク監視（ＲＬＭ）のための測定を遂行する方法（４００）であって、前記方法（４００）が、
複数の無線測定を遂行すること（４０２）と、
第１のフィルタリング設定を使用して前記無線測定の少なくとも第１のサブセットをフィルタリングすること（４０４）と、
前記第１のフィルタリング設定とは異なる第２のフィルタリング設定を使用して前記無線測定の少なくとも第２のサブセットをフィルタリングすること（４０６）とを含み、
前記第１のフィルタリング設定および前記第２のフィルタリング設定が、それぞれ、第１および第２の異なるタイプの参照信号に、またはそれぞれ、ビームレベル測定およびセルレベル測定に適用される、方法（４００）。
【請求項２】
測定された無線サンプルのレイヤ１フィルタリングを遂行して前記複数の無線測定を取得することをさらに含む、請求項１に記載の方法（４００）。
【請求項３】
前記第１のフィルタリング設定を使用する前記フィルタリング（４０４）、および前記第２のフィルタリング設定を使用する前記フィルタリング（４０６）が、それぞれレイヤ３フィルタリングを含む、請求項１または２に記載の方法（４００）。
【請求項４】
前記第１のフィルタリング設定と前記第２のフィルタリング設定が少なくとも平均化パラメータに関して異なるものである、請求項３に記載の方法（４００）。
【請求項５】
前記第１のフィルタリング設定を使用する前記フィルタリングおよび前記第２のフィルタリング設定を使用する前記フィルタリングのうち少なくとも１つのための前記レイヤ３フィルタリングが、フィルタリングされた、セル固有の品質測定を生成する、請求項３または４に記載の方法（４００）。
【請求項６】
セル固有の品質測定のレイヤ３フィルタリングの前に、ビーム固有の無線測定を基にビームの統合および選択を遂行することをさらに含む、請求項５に記載の方法（４００）。
【請求項７】
前記第１のフィルタリング設定を使用する前記フィルタリングおよび前記第２のフィルタリング設定を使用する前記フィルタリングのうち少なくとも１つのための前記レイヤ３フィルタリングが、フィルタリングされた、ビーム固有の品質測定を生成する、請求項３から６のいずれか一項に記載の方法（４００）。
【請求項８】
前記第１のフィルタリング設定を使用する前記フィルタリングおよび前記第２のフィルタリング設定を使用する前記フィルタリングが、それぞれ無線リンク障害（ＲＬＦ）を評価するためのフィルタリングを含む、請求項１または２に記載の方法（４００）。
【請求項９】
前記第１のフィルタリング設定と前記第２のフィルタリング設定が、ＲＬＦタイマの始動をトリガする連続した同期外れ指示の数と、作動中のＲＬＦタイマを停止する連続した同期指示の数と、ＲＬＦタイマの持続時間と、ＲＬＦの宣言またはＲＬＦタイマの始動をトリガするビーム障害回復の試行の最大数とのうち少なくとも１つに関して異なるものである、請求項８に記載の方法（４００）。
【請求項１０】
前記第１および第２の異なるタイプの参照信号が、それぞれチャネル状態情報参照信号（ＣＳＩ−ＲＳ）および同期信号ブロックにおける同期信号である、請求項１から９のいずれか一項に記載の方法（４００）。
【請求項１１】
前記第１のフィルタリング設定と前記第２のフィルタリング設定とのうち少なくとも１つの、少なくとも１つのパラメータを指示するシグナリングを受信することをさらに含む、請求項１から１０のいずれか一項に記載の方法（４００）。
【請求項１２】
前記第１のフィルタリング設定と前記第２のフィルタリング設定とのうち少なくとも１つの、少なくとも１つのパラメータが、
セルレベル測定を取得する周期性もしくはビームレベル測定を取得する周期性、または両方の周期性と、
測定されるビームの数と、
セルレベル測定を決定するために使用される２つ以上のビーム測定の間の測定値の差と、
同期信号バーストを伴う同期信号ブロックの数とのうち少なくとも１つに依拠するものである、請求項１から１１のいずれか一項に記載の方法（４００）。
【請求項１３】
無線通信ネットワークの少なくとも１つのネットワークノード（３０）における無線リソース管理（ＲＲＭ）および／または無線リンク監視（ＲＬＭ）のための測定を容易にする方法（６００）であって、前記方法（６００）が、
無線デバイス（５０）に、ＲＲＭおよび／またはＲＬＭのための第１のフィルタリング設定と、ＲＲＭおよび／またはＲＬＭのための、前記第１のフィルタリング設定とは異なる第２のフィルタリング設定とを指示する情報を送ること（６０２）を含み、
前記第１のフィルタリング設定および前記第２のフィルタリング設定が、それぞれ、第１および第２の異なるタイプの参照信号に、またはそれぞれ、ビームレベル測定およびセルレベル測定に適用される、方法（６００）。
【請求項１４】
前記第１のフィルタリング設定と前記第２のフィルタリング設定が、少なくともレイヤ３フィルタリングのための平均化パラメータに関して異なるものである、請求項１３に記載の方法（６００）。
【請求項１５】
前記第１のフィルタリング設定および第２のフィルタリング設定が無線リンク障害（ＲＬＦ）を評価するためのフィルタリングに関するものである、請求項１３に記載の方法（６００）。
【請求項１６】
前記第１のフィルタリング設定と前記第２のフィルタリング設定が、ＲＬＦタイマの始動をトリガする連続した同期外れ指示の数と、作動中のＲＬＦタイマを停止する連続した同期指示の数と、ＲＬＦタイマの持続時間と、ＲＬＦの宣言またはＲＬＦタイマの始動をトリガするビーム障害回復の試行の最大数とのうち少なくとも１つに関して異なるものである、請求項１５に記載の方法（６００）。
【請求項１７】
前記第１および第２の異なるタイプの参照信号が、それぞれチャネル状態情報参照信号（ＣＳＩ−ＲＳ）および同期信号ブロックにおける同期信号である、請求項１３から１６のいずれか一項に記載の方法（６００）。
【請求項１８】
無線リソース管理（ＲＲＭ）および／または無線リンク監視（ＲＬＭ）のための測定を遂行するように設定された無線デバイス（５０）であって、前記無線デバイス（５０）が、
無線信号を送受信するように設定されたトランシーバサーキットリ（５６）と、
前記トランシーバサーキットリ（５６）に対して動作可能に関連づけられた処理サーキットリ（５２）であって、
複数の無線測定を遂行し、
第１のフィルタリング設定を使用して前記無線測定の少なくとも第１のサブセットをフィルタリングし、
前記第１のフィルタリング設定とは異なる第２のフィルタリング設定を使用して前記無線測定の少なくとも第２のサブセットをフィルタリングするように設定された処理サーキットリ（５２）とを備え、
前記第１のフィルタリング設定および前記第２のフィルタリング設定が、それぞれ、第１および第２の異なるタイプの参照信号に、またはそれぞれ、ビームレベル測定およびセルレベル測定に適用される、無線デバイス（５０）。
【請求項１９】
前記処理サーキットリ（５２）が、測定された無線サンプルのレイヤ１フィルタリングを遂行して複数の無線測定を取得するように設定されている、請求項１８に記載の無線デバイス（５０）。
【請求項２０】
前記処理サーキットリ（５２）が、レイヤ３フィルタリングを含む第１のフィルタリング設定を使用してフィルタリングし、レイヤ３フィルタリングを含む第２のフィルタリング設定を使用してフィルタリングするように設定されている、請求項１８または１９に記載の無線デバイス（５０）。
【請求項２１】
請求項１から１２のいずれか一項に記載の方法（４００）を遂行するように適合された無線デバイス（５０）。
【請求項２２】
請求項１３から１７のいずれか一項に記載の方法（６００）を遂行するように適合された少なくとも１つのネットワークノード（３０）。
【国際調査報告】
2020533847.tif 000016
2020533847.tif 000017
2020533847.tif 000018
2020533847.tif 000019
2020533847.tif 000020
2020533847.tif 000021